(57)【特許請求の範囲】
【請求項１】
移動通信システムの端末におけるアップリンク制御情報（uplink control information、ＵＣＩ）伝送方法であって、
物理アップリンク共用チャネル（physical uplink shared channel、ＰＵＳＣＨ）及び物理アップリンク制御チャネル（physical uplink control channel、ＰＵＣＣＨ）の同時伝送設定に関する情報を受信する段階と、
ＵＣＩ伝送のためのサブフレームで少なくとも１つのＰＵＳＣＨが伝送されるかを確認する段階と、
前記ＰＵＳＣＨ及びＰＵＣＣＨの同時伝送が設定され、前記サブフレームで前記少なくとも１つのＰＵＳＣＨが伝送され、前記ＵＣＩがチャネル状態情報（channel status information、ＣＳＩ）を含む場合、前記サブフレームのＰＵＳＣＨに前記ＵＣＩを伝送する段階と、を含むＵＣＩ伝送方法。
【請求項２】
前記ＰＵＳＣＨ及びＰＵＣＣＨの同時伝送が設定され、前記ＵＣＩがハイブリッド自動再伝送要請（hybrid automatic repeat request、ＨＡＲＱ）−応答（acknowledgement、ＡＣＫ）及びスケジューリング要請（scheduling request、ＳＲ）のうちの少なくとも１つを含む場合、前記サブフレームのＰＵＳＣＨに前記ＵＣＩを伝送する段階をさらに含む
ことを特徴とする請求項１に記載のＵＣＩ伝送方法。
【請求項３】
少なくとも１つのサービングセル（serving cell）が設定され、前記サブフレームのプライマリセル（primary cell）でＰＵＳＣＨが伝送される場合、前記サブフレームのＰＵＳＣＨは、前記サブフレームのプライマリセルのＰＵＳＣＨである
ことを特徴とする請求項１に記載のＵＣＩ伝送方法。
【請求項４】
少なくとも１つのサービングセル（serving cell）が設定され、前記サブフレームのプライマリセル（primary cell）でＰＵＳＣＨが伝送されない場合、前記サブフレームのＰＵＳＣＨは、前記サブフレームのセカンダリセル（secondary cell）のうち、最も小さいsecondary cellインデックス（index）を有するセカンダリセルのＰＵＳＣＨである
ことを特徴とする請求項１に記載のＵＣＩ伝送方法。
【請求項５】
前記サブフレームで少なくとも１つのＰＵＳＣＨが伝送されるかを確認する段階は、
非周期ＣＳＩ報告をトリガー（trigger）するＣＳＩ要請フィールドのセットを含む物理ダウンリンク制御チャネル（physical downlink control channel、ＰＤＣＣＨ）を感知する段階を含み、
前記ＰＤＣＣＨがｎ番目のサブフレームで受信される場合、前記ＰＵＳＣＨは、ｎ＋ｋ番目のサブフレームに伝送され、
前記ｎ及びｋは、整数であり、
前記ｋは、４である
ことを特徴とする請求項１に記載のＵＣＩ伝送方法。
【請求項６】
前記ＰＵＳＣＨ及びＰＵＣＣＨの同時伝送が設定されず、前記サブフレームで前記少なくとも１つのＰＵＳＣＨが伝送される場合、前記ＵＣＩのタイプに関わらず、前記サブフレームのＰＵＳＣＨに前記ＵＣＩを伝送する段階をさらに含む
ことを特徴とする請求項１に記載のＵＣＩ伝送方法。
【請求項７】
少なくとも１つのサービングセル（serving cell）が設定され、前記サブフレームのプライマリセル（primary cell）でＰＵＳＣＨが伝送される場合、前記サブフレームのＰＵＳＣＨは、前記サブフレームのプライマリセルのＰＵＳＣＨであり、
少なくとも１つのサービングセル（serving cell）が設定され、前記サブフレームのプライマリセル（primary cell）でＰＵＳＣＨが伝送されない場合、前記サブフレームのＰＵＳＣＨは、前記サブフレームのセカンダリセル（secondary cell）のうち、最も小さいsecondary cellインデックス（index）を有するセカンダリセルのＰＵＳＣＨである
ことを特徴とする請求項６に記載のＵＣＩ伝送方法。
【請求項８】
移動通信システムの基地局におけるアップリンク制御情報（uplink control information、ＵＣＩ）受信方法であって、
物理アップリンク共用チャネル（physical uplink shared channel、ＰＵＳＣＨ）及び物理アップリンク制御チャネル（physical uplink control channel、ＰＵＣＣＨ）の同時伝送設定に関する情報を端末に伝送する段階と、
ＵＣＩ受信のためのサブフレームで少なくとも１つのＰＵＳＣＨが受信されるかを確認する段階と、
前記ＰＵＳＣＨ及びＰＵＣＣＨの同時伝送が設定され、前記サブフレームで前記少なくとも１つのＰＵＳＣＨが受信され、前記ＵＣＩがチャネル状態情報（channel status information、ＣＳＩ）を含む場合、前記サブフレームのＰＵＳＣＨで前記ＵＣＩを受信する段階と、を含むＵＣＩ受信方法。
【請求項９】
前記ＰＵＳＣＨ及びＰＵＣＣＨの同時伝送が設定され、前記ＵＣＩがハイブリッド自動再伝送要請（hybrid automatic repeat request、ＨＡＲＱ）−応答（acknowledgement、ＡＣＫ）及びスケジューリング要請（scheduling request、ＳＲ）のうちの少なくとも１つを含む場合、前記サブフレームのＰＵＳＣＨで前記ＵＣＩを受信する段階をさらに含む
ことを特徴とする請求項８に記載のＵＣＩ受信方法。
【請求項１０】
少なくとも１つのサービングセル（serving cell）が設定され、前記サブフレームのプライマリセル（primary cell）でＰＵＳＣＨが受信される場合、前記サブフレームのＰＵＳＣＨは、前記サブフレームのプライマリセルのＰＵＳＣＨである
ことを特徴とする請求項８に記載のＵＣＩ受信方法。
【請求項１１】
少なくとも１つのサービングセル（serving cell）が設定され、前記サブフレームのプライマリセル（primary cell）でＰＵＳＣＨが受信されない場合、前記サブフレームのＰＵＳＣＨは、前記サブフレームのセカンダリセル（secondary cell）のうち、最も小さいsecondary cellインデックス（index）を有するセカンダリセルのＰＵＳＣＨである
ことを特徴とする請求項８に記載のＵＣＩ受信方法。
【請求項１２】
非周期ＣＳＩ報告をトリガー（trigger）するＣＳＩ要請フィールドのセットを含む物理ダウンリンク制御チャネル（physical downlink control channel、ＰＤＣＣＨ）を伝送する段階をさらに含み、
前記ＰＤＣＣＨがｎ番目のサブフレームで伝送される場合、前記ＰＵＳＣＨは、ｎ＋ｋ番目のサブフレームに受信され、
前記ｎ及びｋは、整数であり、
前記ｋは、４である
ことを特徴とする請求項８に記載のＵＣＩ受信方法。
【請求項１３】
前記ＰＵＳＣＨ及びＰＵＣＣＨの同時伝送が設定されず、前記サブフレームで前記少なくとも１つのＰＵＳＣＨが受信される場合、前記ＵＣＩのタイプに関わらず、前記サブフレームのＰＵＳＣＨで前記ＵＣＩを受信する段階をさらに含む
ことを特徴とする請求項８に記載のＵＣＩ受信方法。
【請求項１４】
少なくとも１つのサービングセル（serving cell）が設定され、前記サブフレームのプライマリセル（primary cell）でＰＵＳＣＨが受信される場合、前記サブフレームのＰＵＳＣＨは、前記サブフレームのプライマリセルのＰＵＳＣＨであり、
少なくとも１つのサービングセル（serving cell）が設定され、前記サブフレームのプライマリセル（primary cell）でＰＵＳＣＨが受信されない場合、前記サブフレームのＰＵＳＣＨは、前記サブフレームのセカンダリセル（secondary cell）のうち、最も小さいsecondary cellインデックス（index）を有するセカンダリセルのＰＵＳＣＨである
ことを特徴とする請求項１３に記載のＵＣＩ受信方法。
【請求項１５】
移動通信システムでアップリンク制御情報（uplink control information、ＵＣＩ）を伝送する端末であって、
信号を送受信する送受信部と、
前記送受信部を制御し、物理アップリンク共用チャネル（physical uplink shared channel、ＰＵＳＣＨ）及び物理アップリンク制御チャネル（physical uplink control channel、ＰＵＣＣＨ）の同時伝送設定に関する情報を受信し、ＵＣＩ伝送のためのサブフレームで少なくとも１つのＰＵＳＣＨが伝送されるかを確認し、前記ＰＵＳＣＨ及びＰＵＣＣＨの同時伝送が設定され、前記サブフレームで前記少なくとも１つのＰＵＳＣＨが伝送され、前記ＵＣＩがチャネル状態情報（channel status information、ＣＳＩ）を含む場合、前記サブフレームのＰＵＳＣＨに前記ＵＣＩを伝送する制御部と、を含む端末。
【請求項１６】
前記制御部は、
前記ＰＵＳＣＨ及びＰＵＣＣＨの同時伝送が設定され、前記ＵＣＩがハイブリッド自動再伝送要請（hybrid automatic repeat request、ＨＡＲＱ）−応答（acknowledgement、ＡＣＫ）及びスケジューリング要請（scheduling request、ＳＲ）のうちの少なくとも１つを含む場合、前記サブフレームのＰＵＳＣＨに前記ＵＣＩを伝送する
ことを特徴とする請求項１５に記載の端末。
【請求項１７】
前記制御部は、
少なくとも１つのサービングセル（serving cell）が設定され、前記サブフレームのプライマリセル（primary cell）でＰＵＳＣＨが伝送される場合、前記サブフレームのＰＵＳＣＨは、前記サブフレームのプライマリセルのＰＵＳＣＨである
ことを特徴とする請求項１５に記載の端末。
【請求項１８】
前記制御部は、
少なくとも１つのサービングセル（serving cell）が設定され、前記サブフレームのプライマリセル（primary cell）でＰＵＳＣＨが伝送されない場合、  前記サブフレームのＰＵＳＣＨは、前記サブフレームのセカンダリセル（secondary cell）のうち、最も小さいsecondary cellインデックス（index）を有するセカンダリセルのＰＵＳＣＨである
ことを特徴とする請求項１５に記載の端末。
【請求項１９】
前記制御部は、
非周期ＣＳＩ報告をトリガー（trigger）するＣＳＩ要請フィールドのセットを含む物理ダウンリンク制御チャネル（physical downlink control channel、ＰＤＣＣＨ）を感知し、
前記ＰＤＣＣＨがｎ番目のサブフレームで受信される場合、前記ＰＵＳＣＨは、ｎ＋ｋ番目のサブフレームに伝送され、
前記ｎ及びｋは、整数であり、
前記ｋは、４である
ことを特徴とする請求項１５に記載の端末。
【請求項２０】
前記制御部は、
前記ＰＵＳＣＨ及びＰＵＣＣＨの同時伝送が設定されず、前記サブフレームで前記少なくとも１つのＰＵＳＣＨが伝送される場合、前記ＵＣＩのタイプに関わらず、前記サブフレームのＰＵＳＣＨに前記ＵＣＩを伝送する
ことを特徴とする請求項１５に記載の端末。
【請求項２１】
少なくとも１つのサービングセル（serving cell）が設定され、前記サブフレームのプライマリセル（primary cell）でＰＵＳＣＨが伝送される場合、前記サブフレームのＰＵＳＣＨは、前記サブフレームのプライマリセルのＰＵＳＣＨであり、
少なくとも１つのサービングセル（serving cell）が設定され、前記サブフレームのプライマリセル（primary cell）でＰＵＳＣＨが伝送されない場合、前記サブフレームのＰＵＳＣＨは、前記サブフレームのセカンダリセル（secondary cell）のうち、最も小さいsecondary cellインデックス（index）を有するセカンダリセルのＰＵＳＣＨである
ことを特徴とする請求項２０に記載の端末。
【請求項２２】
移動通信システムでアップリンク制御情報（uplink control information、ＵＣＩ）を受信する基地局であって、
信号を送受信する送受信部と、
前記送受信部を制御し、物理アップリンク共用チャネル（physical uplink shared channel、ＰＵＳＣＨ）及び物理アップリンク制御チャネル（physical uplink control channel、ＰＵＣＣＨ）の同時伝送設定に関する情報を端末に伝送し、ＵＣＩ受信のためのサブフレームで少なくとも１つのＰＵＳＣＨが受信されるかを確認し、前記ＰＵＳＣＨ及びＰＵＣＣＨの同時伝送が設定され、前記サブフレームで前記少なくとも１つのＰＵＳＣＨが受信され、前記ＵＣＩがチャネル状態情報（channel status information、ＣＳＩ）を含む場合、前記サブフレームのＰＵＳＣＨで前記ＵＣＩを受信する制御部と、を含む基地局。
【請求項２３】
前記制御部は、
前記ＰＵＳＣＨ及びＰＵＣＣＨの同時伝送が設定され、前記ＵＣＩがハイブリッド自動再伝送要請（hybrid automatic repeat request、ＨＡＲＱ）−応答（acknowledgement、ＡＣＫ）及びスケジューリング要請（scheduling request、ＳＲ）のうちの少なくとも１つを含む場合、前記サブフレームのＰＵＳＣＨで前記ＵＣＩを受信する
ことを特徴とする請求項２２に記載の基地局。
【請求項２４】
前記制御部は、
少なくとも１つのサービングセル（serving cell）が設定され、前記サブフレームのプライマリセル（primary cell）でＰＵＳＣＨが受信される場合、  前記サブフレームのＰＵＳＣＨは、前記サブフレームのプライマリセルのＰＵＳＣＨである
ことを特徴とする請求項２２に記載の基地局。
【請求項２５】
前記制御部は、
少なくとも１つのサービングセル（serving cell）が設定され、前記サブフレームのプライマリセル（primary cell）でＰＵＳＣＨが受信されない場合、前記サブフレームのＰＵＳＣＨは、前記サブフレームのセカンダリセル（secondary cell）のうち、最も小さいsecondary cellインデックス（index）を有するセカンダリセルのＰＵＳＣＨである
ことを特徴とする請求項２２に記載の基地局。
【請求項２６】
前記制御部は、
非周期ＣＳＩ報告をトリガー（trigger）するＣＳＩ要請フィールドのセットを含む物理ダウンリンク制御チャネル（physical downlink control channel、ＰＤＣＣＨ）を伝送し、
前記ＰＤＣＣＨがｎ番目のサブフレームで伝送される場合、前記ＰＵＳＣＨは、ｎ＋ｋ番目のサブフレームに受信され、
前記ｎ及びｋは、整数であり、
前記ｋは、４である
ことを特徴とする請求項２２に記載の基地局。
【請求項２７】
前記制御部は、
前記ＰＵＳＣＨ及びＰＵＣＣＨの同時伝送が設定されず、前記サブフレームで前記少なくとも１つのＰＵＳＣＨが受信される場合、前記ＵＣＩのタイプに関わらず、前記サブフレームのＰＵＳＣＨで前記ＵＣＩを受信する
ことを特徴とする請求項２２に記載の基地局。
【請求項２８】
少なくとも１つのサービングセル（serving cell）が設定され、前記サブフレームのプライマリセル（primary cell）でＰＵＳＣＨが受信される場合、前記サブフレームのＰＵＳＣＨは、前記サブフレームのプライマリセルのＰＵＳＣＨであり、
少なくとも１つのサービングセル（serving cell）が設定され、前記サブフレームのプライマリセル（primary cell）でＰＵＳＣＨが受信されない場合、前記サブフレームのＰＵＳＣＨは、前記サブフレームのセカンダリセル（secondary cell）のうち、最も小さいsecondary cellインデックス（index）を有するセカンダリセルのＰＵＳＣＨである
ことを特徴とする請求項２７に記載の基地局。
【発明の詳細な説明】
【技術分野】
【０００１】
本発明は、一般的に無線通信に関し、より詳細には、アップリンク制御情報（ｕｐｌｉｎｋ  ｃｏｎｔｒｏｌ  ｉｎｆｏｒｍａｔｉｏｎ）を伝送するための方法及びシステムに関する。
【背景技術】
【０００２】
３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（Ｌｏｎｇ  Ｔｅｒｍ  Ｅｖｏｌｕｔｉｏｎ）で、直交周波数分割多重化（ＯＦＤＭ；Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）は、ダウンリンク伝送スキーム（ｓｃｈｅｍｅ）に採択された。
【発明の概要】
【発明が解決しようとする課題】
【０００３】
アップリンク制御情報のための伝送モードを指示するための方法が要求される。
【課題を解決するための手段】
【０００４】
基地局が提供される。基地局は、加入者端末が物理アップリンク共有チャネル（ＰＵＳＣＨ；ｐｈｙｓｉｃａｌ  ｕｐｌｉｎｋ  ｓｈａｒｅｄ  ｃｈａｎｎｅｌ）及び物理アップリンク制御チャネル（ＰＵＣＣＨ；ｐｈｙｓｉｃａｌ  ｕｐｌｉｎｋ  ｃｏｎｔｒｏｌ  ｃｈａｎｎｅｌ）を同時に伝送するように許容する第１アップリンク制御情報（ＵＣＩ；ｕｐｌｉｎｋ  ｃｏｎｔｒｏｌ  ｉｎｆｏｒｍａｔｉｏｎ）多重化方法と加入者端末がＰＵＳＣＨ及びＰＵＣＣＨを同時に伝送するように許容しない第２ＵＣＩ多重化方法のうち１つを選択するように構成される伝送経路回路を含む。前記伝送経路回路は、前記加入者端末に前記１つの選択されたＵＣＩ多重化方法を指示する上位階層信号を伝送し、前記加入者端末に１つ以上のアップリンクグラント（ｕｐｌｉｎｋ  ｇｒａｎｔ）を伝送するように構成される。前記１つ以上のアップリンクグラント各々は、前記加入者端末に対するサブフレームｎに対してアップリンクコンポネントキャリア（ＵＬ  ＣＣ；ｕｐｌｉｎｋ  ｃｏｍｐｏｎｅｎｔ  ｃａｒｒｉｅｒ）でＰＵＳＣＨをスケジューリングし、前記１つ以上のアップリンクグラント各々は、チャネル品質情報（ＣＱＩ；ｃｈａｎｎｅｌ  ｑｕａｌｉｔｙ  ｉｎｆｏｒｍａｔｉｏｎ）要請を伝達する。前記基地局は、また、ＵＬ  ＣＣ  ｉでＰＵＳＣＨをスケジューリングする１つ以上のアップリンクグラントのうちただ１つのアップリンクグラントがセットの値から値を有するＣＱＩ要請を伝達するとき、ＵＬ  ＣＣ  ｉのＰＵＳＣＨ上で加入者端末によって伝送される非周期的なチャネル状態情報（ＣＳＩ；ｃｈａｎｎｅｌ  ｓｔａｔｅ  ｉｎｆｏｒｍａｔｉｏｎ）を受信するように構成される受信経路回路を含む。肯定応答／否定応答（ＡＣＫ／ＮＡＣＫ；ａｃｋｎｏｗｌｅｄｇｅｍｅｎｔ／ｎｅｇａｔｉｖｅ  ａｃｋｎｏｗｌｅｄｇｅｍｅｎｔ）情報が同一のサブフレームｎでスケジューリングされるとき、そして前記１つの選択されたＵＣＩ多重化方法が第１ＵＣＩ多重化方法であるとき、前記ＡＣＫ／ＮＡＣＫ情報は、また、ＵＬ  ＣＣ  ｉで伝送されるＰＵＳＣＨ上で前記加入者端末によって伝送される。
【０００５】
基地局の動作方法が提供される。前記方法は、加入者端末が物理アップリンク共有チャネル（ＰＵＳＣＨ；ｐｈｙｓｉｃａｌ  ｕｐｌｉｎｋ  ｓｈａｒｅｄ  ｃｈａｎｎｅｌ）及び物理アップリンク制御チャネル（ＰＵＣＣＨ；ｐｈｙｓｉｃａｌ  ｕｐｌｉｎｋ  ｃｏｎｔｒｏｌ  ｃｈａｎｎｅｌ）を同時に伝送するように許容する第１アップリンク制御情報（ＵＣＩ；ｕｐｌｉｎｋ  ｃｏｎｔｒｏｌ  ｉｎｆｏｒｍａｔｉｏｎ）多重化方法と加入者端末がＰＵＳＣＨ及びＰＵＣＣＨを同時に伝送するように許容しない第２ＵＣＩ多重化方法のうち１つを選択するステップを含む。また、前記方法は、前記加入者端末に前記１つの選択されたＵＣＩ多重化方法を指示する上位階層信号を伝送するステップと、前記加入者端末に１つ以上のアップリンクグラント（ｕｐｌｉｎｋ  ｇｒａｎｔ）を伝送するステップとを含む。前記１つ以上のアップリンクグラント各々は、前記加入者端末に対するサブフレームｎに対してアップリンクコンポネントキャリア（ＵＬ  ＣＣ；ｕｐｌｉｎｋ  ｃｏｍｐｏｎｅｎｔ  ｃａｒｒｉｅｒ）でＰＵＳＣＨをスケジューリングし、前記１つ以上のアップリンクグラント各々は、チャネル品質情報（ＣＱＩ；ｃｈａｎｎｅｌ  ｑｕａｌｉｔｙ  ｉｎｆｏｒｍａｔｉｏｎ）要請を伝達する。前記方法は、ＵＬ  ＣＣ  ｉでＰＵＳＣＨをスケジューリングする１つ以上のアップリンクグラントのうちただ１つのアップリンクグラントがセットの値から値を有するＣＱＩ要請を伝達するとき、ＵＬ  ＣＣ  ｉのＰＵＳＣＨ上で加入者端末によって伝送される非周期的なチャネル状態情報（ＣＳＩ；ｃｈａｎｎｅｌ  ｓｔａｔｅ  ｉｎｆｏｒｍａｔｉｏｎ）を受信するステップをさらに含む。肯定応答／否定応答（ＡＣＫ／ＮＡＣＫ；ａｃｋｎｏｗｌｅｄｇｅｍｅｎｔ／ｎｅｇａｔｉｖｅ  ａｃｋｎｏｗｌｅｄｇｅｍｅｎｔ）情報が同一のサブフレームｎでスケジューリングされるとき、そして前記１つの選択されたＵＣＩ多重化方法が第１ＵＣＩ多重化方法であるとき、ＡＣＫ／ＮＡＣＫ情報は、ＵＬ  ＣＣ  ｉで伝送されるＰＵＳＣＨ上で加入者端末によって伝送される。
【０００６】
加入者端末機が提供される。前記加入者端末機は、基地局から物理アップリンク共有チャネル（ＰＵＳＣＨ；ｐｈｙｓｉｃａｌ  ｕｐｌｉｎｋ  ｓｈａｒｅｄ  ｃｈａｎｎｅｌ）及び物理アップリンク制御チャネル（ＰＵＣＣＨ；ｐｈｙｓｉｃａｌ  ｕｐｌｉｎｋ  ｃｏｎｔｒｏｌ  ｃｈａｎｎｅｌ）を同時に伝送するように許容する第１アップリンク制御情報（ＵＣＩ；ｕｐｌｉｎｋ  ｃｏｎｔｒｏｌ  ｉｎｆｏｒｍａｔｉｏｎ）多重化方法と加入者端末がＰＵＳＣＨ及びＰＵＣＣＨを同時に伝送するように許容しない第２ＵＣＩ多重化方法のうち１つを指示する上位階層信号を受信するように構成される受信経路回路を含む。前記受信経路回路は、また、前記基地局から前記１つ以上のグラントを受信するように構成される。前記１つ以上のグラント各々は、前記加入者端末に対するサブフレームｎに対してアップリンクコンポネントキャリア（ＵＬ  ＣＣ；ｕｐｌｉｎｋ  ｃｏｍｐｏｎｅｎｔ  ｃａｒｒｉｅｒ）でＰＵＳＣＨをスケジューリングし、前記１つ以上のグラント各々は、チャネル品質情報（ＣＱＩ；ｃｈａｎｎｅｌ  ｑｕａｌｉｔｙ  ｉｎｆｏｒｍａｔｉｏｎ）要請を伝達する。前記加入者端末は、またＵＬ  ＣＣ  ｉでＰＵＳＣＨをスケジューリングする１つ以上のアップリンクグラントのうちただ１つのアップリンクグラントがセットの値から値を有するＣＱＩ要請を伝達するとき、ＵＬ  ＣＣ  ｉのＰＵＳＣＨ上で前記基地局で非周期的なチャネル状態情報（ＣＳＩ；ｃｈａｎｎｅｌ  ｓｔａｔｅ  ｉｎｆｏｒｍａｔｉｏｎ）を伝送するように構成される伝送経路回路を含む。肯定応答／否定応答（ＡＣＫ／ＮＡＣＫ；ａｃｋｎｏｗｌｅｄｇｅｍｅｎｔ／ｎｅｇａｔｉｖｅ  ａｃｋｎｏｗｌｅｄｇｅｍｅｎｔ）情報が同一のサブフレームｎでスケジューリングされるとき、そして前記１つの選択されたＵＣＩ多重化方法が第１ＵＣＩ多重化方法であるとき、前記ＡＣＫ／ＮＡＣＫ情報は、ＵＬ  ＣＣ  ｉで伝送されるＰＵＳＣＨ上で前記基地局に伝送される。
【０００７】
加入者端末機の動作方法が提供される。前記方法は、基地局から物理アップリンク共有チャネル（ＰＵＳＣＨ；ｐｈｙｓｉｃａｌ  ｕｐｌｉｎｋ  ｓｈａｒｅｄ  ｃｈａｎｎｅｌ）及び物理アップリンク制御チャネル（ＰＵＣＣＨ；ｐｈｙｓｉｃａｌ  ｕｐｌｉｎｋ  ｃｏｎｔｒｏｌ  ｃｈａｎｎｅｌ）を同時に伝送するように許容する第１アップリンク制御情報（ＵＣＩ；ｕｐｌｉｎｋ  ｃｏｎｔｒｏｌ  ｉｎｆｏｒｍａｔｉｏｎ）多重化方法と加入者端末がＰＵＳＣＨ及びＰＵＣＣＨを同時に伝送するように許容しない第２ＵＣＩ多重化方法のうち１つを指示する上位階層信号を受信するステップを含む。前記方法は、また、前記基地局から、１つ以上のグラント各々が前記加入者端末に対するサブフレームｎに対してアップリンクコンポネントキャリア（ＵＬ  ＣＣ；ｕｐｌｉｎｋ  ｃｏｍｐｏｎｅｎｔ  ｃａｒｒｉｅｒ）でＰＵＳＣＨをスケジューリングし、１つ以上のグラント各々がチャネル品質情報（ＣＱＩ；ｃｈａｎｎｅｌｑｕａｌｉｔｙｉｎｆｏｒｍａｔｉｏｎ）要請を伝達する、前記１つ以上のグラントを受信するステップを含む。前記方法は、ＵＬ  ＣＣ  ｉでＰＵＳＣＨをスケジューリングする１つ以上のアップリンクグラントのうちただ１つのアップリンクグラントがセットの値から値を有するＣＱＩ要請を伝達するとき、ＵＬ  ＣＣ  ｉのＰＵＳＣＨ上で前記基地局に非周期的なチャネル状態情報（ＣＳＩ；ｃｈａｎｎｅｌ  ｓｔａｔｅ  ｉｎｆｏｒｍａｔｉｏｎ）を伝送するステップをさらに含む。肯定応答／否定応答（ＡＣＫ／ＮＡＣＫ；ａｃｋｎｏｗｌｅｄｇｅｍｅｎｔ／ｎｅｇａｔｉｖｅ  ａｃｋｎｏｗｌｅｄｇｅｍｅｎｔ）情報が同一のサブフレームｎでスケジューリングされるとき、そして前記１つの選択されたＵＣＩ多重化方法が第１ＵＣＩ多重化方法であるとき、前記ＡＣＫ／ＮＡＣＫ情報は、ＵＬ  ＣＣ  ｉで伝送されるＰＵＳＣＨ上で前記基地局に伝送される。
【０００８】
下記のような本発明の詳細な説明に入るに先立って、本特許文献全体にわたって使用される任意の単語、そして構文の一部に対する定義について説明するのが有利であろう。用語“備える（ｉｎｃｌｕｄｅ）、”そして“含む（ｃｏｍｐｒｉｓｅ）”は、それから派生したものと共に、制限なしに含まれることを意味する；用語“または（ｏｒ）”は、及び／または（ａｎｄ／ｏｒ）の意味を含むことができる；構文“それと関連した（ａｓｓｏｃｉａｔｅｄ ｗｉｔｈ）”そして“それとともに関連した（ａｓｓｏｃｉａｔｅｄ ｔｈｅｒｅｗｉｔｈ）”は、それから派生したものと共に、備える（ｉｎｃｌｕｄｅ）、その中に備えられる（ｂｅ ｉｎｃｌｕｄｅｄ ｗｉｔｈｉｎ）、互いに連結する（ｉｎｔｅｒｃｏｎｎｅｃｔ ｗｉｔｈ）、含有する（ｃｏｎｔａｉｎ）、内に含まれる（ｂｅ ｃｏｎｔａｉｎｅｄ ｗｉｔｈｉｎ）、何にまたは何と連結する（ｃｏｎｎｅｃｔ ｔｏ ｏｒ ｗｉｔｈ）、何にまたは何と対で連結する（ｃｏｕｐｌｅ ｔｏ ｏｒ ｗｉｔｈ）、何と通信を行うことができる（ｂｅ ｃｏｍｍｕｎｉｃａｂｌｅ ｗｉｔｈ）、何に協力する（ｃｏｏｐｅｒａｔｅ ｗｉｔｈ）、挟みこむ（ｉｎｔｅｒｌｅａｖｅ）、並置する（ｊｕｘｔａｐｏｓｅ）、何に近似する（ｂｅ ｐｒｏｘｉｍａｔｅ ｔｏ）、それとまたはそれに対して境界を成す（ｂｅ ｂｏｕｎｄ ｔｏ ｏｒ ｗｉｔｈ）、有する（ｈａｖｅ）、何の資産を有する（ｈａｖｅ ａ ｐｒｏｐｅｒｔｙ ｏｆ）などの意味になることができる。用語“制御機（ｃｏｎｔｒｏｌｌｅｒ）”は、ハードウェア、ファームウエア、ソフトウェアまたは前述したもの（ハードウェア、ファームウエア、ソフトウェア）のうち少なくとも２個の組合で具現されるそのような装置の少なくとも１つの動作を制御する任意の装置、システムまたはそれらの一部を意味する。ある個別制御機に関連した機能は、近接、または遠隔で、中央集中されるか、または分散されることができることに留意しなければならない。単語及び構文に対する定義は、この特許文献全体にわたって提供され、この技術分野における通常の知識を有する者は、多くの場合に、あるいは、そうでなければ大部分の場合で、そのように定義された単語と構文の今後の使用と共に、先立って適用されたそのような定義を理解することができる。
【発明の効果】
【０００９】
本発明は、アップリンク制御情報のための伝送モードを効率的に指示することができる。
【００１０】
本発明と本発明の長所に対するさらに明確な理解のために、以下の詳細な説明は、添付の図面を参照する。図面で、同一の参照番号は、同一の部分を示す。
【図面の簡単な説明】
【００１１】
【図１】本発明の原理によるアップリンクのメッセージを伝送する例示的な無線ネットワークを示す。
【図２】本発明の一実施形態による直交周波数分割多重接続（ＯＦＤＭＡ；ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）送信機の上位階層図である。
【図３】本発明の一実施形態による直交周波数分割多重接続（ＯＦＤＭＡ）受信機の上位階層図である。
【図４】本発明の実施形態による複数の移動端末と通信する基地局を示す図である。
【図５Ａ】本発明の実施形態による空間分割多重接続（ＳＤＭＡ；ｓｐａｔｉａｌ  ｄｉｖｉｓｉｏｎ  ｍｕｌｔｉｐｌｅ  ａｃｃｅｓｓ）スキームを示す。
【図５Ｂ】本発明の実施形態による物理アップリンク共有チャネル（ＰＵＳＣＨ；ｐｈｙｓｉｃａｌ  ｕｐｌｉｎｋ  ｓｈａｒｅｄ  ｃｈａｎｎｅｌ）伝送チェーンを示す。
【図６Ａ】本発明の実施形態によって物理アップリンク共有チャネル（ＰＵＳＣＨ）がスケジューリングされないサブフレームでＡ／Ｎ伝送を示す。
【図６Ｂ】本発明の実施形態によって物理アップリンク共有チャネル（ＰＵＳＣＨ）が１つのアップリンクコンポネントキャリア（ＵＬ  ＣＣ；ｕｐｌｉｎｋ  ｃｏｍｐｏｎｅｎｔ  ｃａｒｒｉｅｒ）でスケジューリングされるサブフレームでＡ／Ｎ伝送６１０を示す。
【図６Ｃ】本発明の実施形態によって物理アップリンク共有チャネル（ＰＵＳＣＨ）が１つ以上のコンポネントキャリア（ＣＣ）でスケジューリングされるサブフレームでＡ／Ｎ伝送スキームを示す。
【図７】本発明の一実施形態によるユーザ装置または加入者端末を動作させる方法を示す。
【図８】本発明の他の実施形態によるユーザ装置または加入者端末を動作させる方法を示す。
【図９】本発明の他の実施形態によるユーザ装置または加入者端末を動作させる方法を示す。
【図１０】本発明の追加的な実施形態によるユーザ装置または加入者端末を動作させる方法を示す。
【図１１】本発明の他の追加的な実施形態によるユーザ装置または加入者端末を動作させる方法を示す。
【図１２】本発明の実施形態による基地局（ｂａｓｅ  ｓｔａｔｉｏｎ）または基地局（ｅＮｏｄｅＢ）を動作させる方法を示す。
【図１３】本発明の他の実施形態による基地局（ｂａｓｅ  ｓｔａｔｉｏｎ）または基地局（ｅＮｏｄｅＢ）を動作させる方法を示す。
【発明を実施するための形態】
【００１２】
この特許文献で本発明の原理を説明するために使用された多様な実施形態及び図１から図１３は、ただ説明のために使用され、本発明の範囲を制限するものに解釈すべきではない。この技術分野における通常の知識を有する者なら適切に定められたいかなる無線通信システムにおいても本発明の原理が具現されることができることを理解することができる。
【００１３】
下記の説明と関連して、ＬＴＥ用語“ノードＢ（ｎｏｄｅ  Ｂ）”、“エンハンスドノードＢ（ｅｎｈａｎｃｅｄ  ｎｏｄｅ  Ｂ）”、“ｅノードＢ（ｅＮｏｄｅＢ）”は、下記で使用される他の用語“基地局（ｂａｓｅ  ｓｔａｔｉｏｎ）”に代替されることができることを留意しなければならない。また、ＬＴＥ用語“ユーザ装置（ｕｓｅｒ  ｅｑｕｉｐｍｅｎｔ）”または“ＵＥ”は、下記で使用される他の用語“加入者端末（ｓｕｂｓｃｒｉｂｅｒ  ｓｔａｔｉｏｎ）”に代替されることができる。
【００１４】
図１は、例示的な無線ネットワーク１００を示し、この無線ネットワークは、本発明の原理によるメッセージを伝達する。図示の実施形態で、無線ネットワーク１００は、基地局（ＢＳ）１０１、基地局（ＢＳ）１０２、基地局（ＢＳ）１０３及び他の類似の基地局（図示せず）を含む。
【００１５】
基地局（ＢＳ）１０１は、インターネット１３０または類似のＩＰ基盤ネットワーク（図示せず）と通信を行う。
【００１６】
基地局（ＢＳ）１０２は、インターネット１３０に対する無線広帯域接続を基地局１０２のカバレージ領域１２０内の第１の複数の加入者端末に提供する。第１の複数の加入者端末は、 小規模事業者（ＳＢ；Ｓｍａｌｌ  ｂｕｓｉｎｅｓｓ）に位置することができる加入者端末１１１、大規模事業者（Ｅ；ｅｎｔｅｒｐｒｉｓｅ）に位置することができる加入者端末１１２、ＷｉＦｉホットスポット（ＨＳ；ｈｏｔｓｐｏｔ）に位置することができる加入者端末１１３、第１居住地（Ｒ；Residence）に位置することができる加入者端末１１４、第２居住地（Ｒ；Residence ）に位置することができる加入者端末１１５、及び携帯電話、無線ラップトップ、無線ＰＤＡなどのようなモバイル装置（Ｍ）になることができる加入者端末１１６を含む。
【００１７】
基地局（ＢＳ）１０３は、基地局１０３のカバレージ領域１２５内の第２の複数の加入者端末にインターネット１３０に対する無線広帯域接続を提供する。第２の複数の加入者端末は、加入者端末１１５及び加入者端末１１６を含む。一実施形態において、基地局１０１〜１０３は、 ＯＦＤＭまたはＯＦＤＭＡ技術を利用して加入者端末１１１〜１１６と、そして相互間に通信を行うことができる。
【００１８】
６個のみの加入者端末が図１に示されているが、無線ネットワーク１００が、無線広帯域接続を追加の加入者端末に提供することができることを理解しなければならない。加入者端末１１５及び加入者端末１１６は、カバレージ領域１２０及びカバレージ領域１２５の両方のエッジに位置していることに注目しなければならない。加入者端末１１５及び加入者端末１１６の各々は、基地局１０２及び基地局１０３の両方と通信を行い、この技術分野において通常の知識を有する者に知られたような、ハンドオフ（ｈａｎｄｏｆｆ）モードで動作すると言える。
【００１９】
加入者端末１１１〜１１６は、音声、データ、ビデオ、ビデオ会議、及び／または他の広帯域サービスにインターネット１３０を介して接続することができる。本発明の一実施形態において、１つ以上の加入者端末１１１〜１１６は、ＷｉＦｉ  ＷＬＡＮ(Wireless Fidelity Wireless Local Area Network)のアクセスポイント（ＡＰ；ａｃｃｅｓｓ  ｐｏｉｎｔ）に連動されることができる。加入者端末１１６は、無線連結可能なラップトップコンピュータ、ＰＤＡ（ｐｅｒｓｏｎａｌ  ｄａｔａ  ａｓｓｉｓｔａｎｔ）、ノートパソコン、携帯用装置、または他の無線連結可能な装置を含む、多数のモバイル装置になることができる。加入者端末１１４及び１１５は、例えば、無線連結可能なパソコン（ＰＣ）、ラップトップコンピュータ、ゲートウェイ、または他の装置になることができる。
【００２０】
図２は、直交周波数分割多重接続（ＯＦＤＭＡ；ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）伝送経路２００の上位階層図である。図３は、直交周波数分割多重接続（ＯＦＤＭＡ；ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）受信経路３００の上位階層図である。図２及び図３で、ただ図示及び説明を目的にするために、ＯＦＤＭＡ伝送経路２００は、基地局（ＢＳ）１０２に具現され、ＯＦＤＭＡ受信経路３００は、加入者端末（ＳＳ）１１６に具現される。しかし、この技術分野において通常の知識を有する者なら、ＯＦＤＭＡ受信経路３００が基地局１０２にも具現され、ＯＦＤＭＡ伝送経路２００が加入者端末１１６にも具現されることができることを理解することができる。
【００２１】
基地局１０２の伝送経路２００は、チャネルコーディング及び変調ブロック２０５、直列対並列（ｓｅｒｉａｌ−ｔｏ−ｐａｒａｌｌｅｌ；Ｓ−ｔｏ−Ｐ）ブロック２１０、サイズＮの逆高速フーリエ変換（ＩＦＦＴ；Ｉｎｖｅｒｓｅ  Ｆａｓｔ  Ｆｏｕｒｉｅｒ  Ｔｒａｎｓｆｏｒｍ）ブロック２１５、並列対直列（ｐａｒａｌｌｅｌ−ｔｏ−ｓｅｒｉａｌ；Ｐ−ｔｏ−Ｓ）ブロック２２０、循環前置（ＣＰ；ｃｙｃｌｉｃ  ｐｒｅｆｉｘ）挿入ブロック２２５、アップコンバータ（ＵＣ；ｕｐ−ｃｏｎｖｅｒｔｅｒ）２３０、レファレンス信号多重化器２９０、レファレンス信号割当器２９５を含む。
【００２２】
加入者端末１１６の受信経路３００は、ダウンコンバータ（ＤＣ；ｄｏｗｎ−ｃｏｎｖｅｒｔｅｒ）２５５、循環前置（ＣＰ；ｃｙｃｌｉｃ  ｐｒｅｆｉｘ）除去ブロック２６０、直列対並列（ｓｅｒｉａｌ−ｔｏ−ｐａｒａｌｌｅｌ；Ｓ−ｔｏ−Ｐ）ブロック２６５、サイズＮの高速フーリエ変換（ＦＦＴ；Ｆａｓｔ  Ｆｏｕｒｉｅｒ  Ｔｒａｎｓｆｏｒｍ）ブロック２７０、並列対直列（ｐａｒａｌｌｅｌ−ｔｏ−ｓｅｒｉａｌ；Ｐ−ｔｏ−Ｓ）ブロック２７５、チャネルデコーディング及び復調ブロック２８０を含む。
【００２３】
図２及び図３のコンポネントの少なくとも一部は、ソフトウェアで具現されることができ、一方、他のコンポネントは、設定可能なハードウェア（ｃｏｎｆｉｇｕｒａｂｌｅ  ｈａｒｄｗａｒｅ）またはソフトウェアと設定可能なハードウェアの組合で具現されることもできる。特に、本発明の文献に記述された高速フーリエ変換（ＦＦＴ）ブロック及び逆高速フーリエ変換（ＩＦＦＴ）ブロックは、高速フーリエ変換（ＦＦＴ）及び逆高速フーリエ変換（ＩＦＦＴ）のサイズＮの値が個別具現によって修正されることができる設定可能なソフトウェアアルゴリズムで具現されることができるという点に注目しなければならない。
【００２４】
さらに、本発明の実施形態が高速フーリエ変換（ＦＦＴ）及び逆高速フーリエ変換（ＩＦＦＴ）を具現する実施形態を直接言及しているとしても、これは、ただ説明のためのものであって、本発明の範囲を限定すると解釈してはならない。本発明の代案的な実施形態において、高速フーリエ変換（ＦＦＴ）機能及び逆高速フーリエ変換（ＩＦＦＴ）機能は、簡単にそれぞれ離散フーリエ変換（ＤＦＴ；Ｄｉｓｃｒｅｔｅ  Ｆｏｕｒｉｅｒ  Ｔｒａｎｓｆｏｒｍ）機能及び逆離散フーリエ変換（ＩＤＦＴ；Ｉｎｖｅｒｓｅ  Ｄｉｓｃｒｅｔｅ  Ｆｏｕｒｉｅｒ  Ｔｒａｎｓｆｏｒｍ）機能に代替されることもできることを理解しなければならない。離散フーリエ変換（ＤＦＴ）及び逆離散フーリエ変換（ＩＤＦＴ）機能のために、変数Ｎの値は、整数になることができ（例えば、１、２、３、４など）、一方、高速フーリエ変換（ＦＦＴ）及び高速フーリエ変換（ＩＦＦＴ）機能のために、変数Ｎの値は、２の二乗である整数になることができる（例えば、１、２、４、８、１６など）を理解しなければならない。
【００２５】
基地局１０２で、チャネルコーディング及び変調ブロック２０５は、情報ビットのセットを受信すれば、入力ビットにコーディング（例えば、ターボコーディング）を適用し、変調（例えば、ＱＰＳＫ、ＱＡＭ）し、周波数ドメイン変調シンボルのシーケンスを生成する。直列対並列ブロック２１０は、直列の変調シンボルを並列のデータに変換（例えば、逆多重化）し、Ｎ個の並列シンボルストリームを生成する。ここで、Ｎは、基地局１０２及び加入者端末１１６で使用されるＩＦＦＴ／ＦＦＴのサイズである。それでは、サイズＮのＩＦＦＴブロック２１５は、Ｎ個の並列のシンボルストリームに対してＩＦＦＴ動作を行い、時間ドメイン出力信号を生成する。並列対直列ブロック２２０は、サイズＮのＩＦＦＴブロック２１５からの並列の時間ドメイン出力シンボルを変換（例えば、多重化）し、直列の時間ドメイン信号を生成する。その後、循環前置挿入ブロック２２５は、循環前置（ＣＰ）を時間ドメイン信号に挿入する。最後に、アップコンバータ２３０は、循環前置挿入ブロック２２５の出力を無線チャネルを介して伝送するための無線周波数（ＲＦ；ｒａｄｉｏ  ｆｒｅｑｕｅｃｙ）に変調（例えば、アップコンバータ（ｕｐ−ｃｏｎｖｅｒｔ））する。信号は、また、無線周波数（ＲＦ）に変換される前に、基底帯域（ＢＢ；ｂａｓｅｂａｎｄ）でフィルタリングされることができる。他の実施形態において、レファレンス信号多重化器２９０は、コード分割多重化（ＣＤＭ；ｃｏｄｅ  ｄｉｖｉｓｉｏｎ  ｍｕｌｔｉｐｌｅｘｉｎｇ）または時間／周波数分割多重化（ＴＦＤＭ；ｔｉｍｅ／ｆｒｅｑｕｅｎｃｙ  ｄｉｖｉｓｉｏｎ  ｍｕｌｔｉｐｌｅｘｉｎｇ）を利用してレファレンス信号を多重化するように動作することができる。レファレンス信号割当器２９５は、本発明の実施形態で説明される方法及びシステムによるＯＦＤＭ信号でレファレンス信号を動的に割り当てるように動作することができる。
【００２６】
伝送された高周波（ＲＦ）信号は、無線チャネルを通過した後、加入者端末１１６に到着し、基地局１０２で行われた動作の逆動作が行われる。ダウンコンバータ２５５は、受信された信号を基底帯域（ｂａｓｅｂａｎｄ）周波数にダウンコンバートし、循環前置除去ブロック２６０は、循環前置（ＣＰ）を除去し、直列の時間ドメイン基底帯域信号を生成する。直列対並列ブロック２６５は、時間ドメイン基底帯域信号を変換し、並列の時間ドメイン信号を生成する。その後、サイズＮのＦＦＴブロック２７０は、ＦＦＴアルゴリズムを行い、Ｎ個の並列の周波数ドメイン信号を生成する。並列対直列ブロック２７５は、並列の周波数ドメイン信号を変調されたデータシンボルのシーケンスに変換する。チャネルデコーディング及び復調ブロック２８０は、変調されたシンボルを復調し、デコーディングし、元々の入力データストリームを復元する。
【００２７】
各基地局１０１〜１０３は、加入者端末１１１〜１１６に対するダウンリンク（ＤＬ）で伝送と類似の伝送経路を実行し、加入者端末１１１〜１１６からのアップリンク（ＵＬ）で受信と類似の受信経路を実行することができる。同様に、加入者端末１１１〜１１６のうちそれぞれのものは、基地局１０１〜１０３に対するアップリンク（ＵＬ）で伝送のためのアキテクチャーによって伝送経路を行うことができ、基地局１０１〜１０３からのダウンリンク（ＤＬ）で受信のためのアキテクチャーによって受信経路を実行することができる。
【００２８】
ＯＦＤＭシステムで全体帯域幅は、サブキャリアと呼ばれる狭帯域（ｎａｒｒｏｗｂａｎｄ）周波数ユニットに分割される。サブキャリアの数は、システムで使用されるＦＦＴ／ＩＦＦＴサイズＮと同一である。一般的に、周波数スペクトルの端部にあるサブキャリアは、保護サブキャリアとして予約されているので、データのために使用されるサブキャリアの数は、Ｎ個より小さい。一般的に、保護サブキャリアでは、どんな情報も伝送されない。
【００２９】
【数１】
0005934399.tif 000002
【００３０】
多重−アンテナ伝送の場合において、アンテナポート当たり定義される１つのリソースグリッドが存在する。
【００３１】
【数２】
0005934399.tif 000003
【００３２】
ＬＴＥで、２つの目的でダウンリンクレファレンス信号（ＲＳ）が使用される。第一に、ユーザ装置（ＵＥ）は、ダウンリンクレファレンス信号（ＤＣＩ）を利用してチャネル品質情報（ＣＱＩ；ｃｈａｎｎｅｌ  ｑｕａｌｉｔｙ  ｉｎｆｏｒｍａｔｉｏｎ）、ランク情報（ＲＩ；ｒａｎｋ  ｉｎｆｏｒｍａｔｉｏｎ）及びプリコーダマトリクス情報（ＰＭＩ；ｐｒｅｃｏｄｅｒ  ｍａｔｒｉｘ  ｉｎｆｏｒｍａｔｉｏｎ）を測定する。第二に、各ユーザ装置（ＵＥ）は、ダウンリンクレファレンス信号を利用するその自体に対する目的でダウンリンク伝送信号を変調する。さらに、ダウンリンクレファレンス信号は、３個のカテゴリーに区分される。セル−特定レファレンス信号（ｃｅｌｌ−ｓｐｅｃｉｆｉｃ  ＲＳ）、ＭＢＳＦＮ（単一周波数ネットワークを介したマルチメディア放送；ｍｕｌｔｉ−ｍｅｄｉａ  ｂｒｏａｄｃａｓｔ  ｏｖｅｒ  ａ  ｓｉｎｇｌｅ  ｆｒｅｑｕｅｎｃｙ  ｎｅｔｗｏｒｋ）レファレンス信号、及び端末特定レファレンス信号（ＵＥ−ｓｐｅｃｉｆｉｃ  ＲＳ、またはＵＥ−ＲＳ）または専用レファレンス信号（ＤＲＳ；Ｄｅｄｉｃａｔｅｄ  ＲＳ）がそれである。
【００３３】
セル特定レファレンス信号（または共通レファレンス信号：ＣＲＳｓ（ｃｏｍｍｏｎ  ｒｅｆｅｒｅｎｃｅ  ｓｉｇｎａｌｓ））は、非放送チャネル（ｎｏｎ−ＭＢＳＦＮ）伝送をサポートするセルですべてのダウンリンクサブフレームに伝送される。サブフレームが放送チャネル（ＭＢＳＦＮ）伝送に使用されれば、サブフレーム内で一番目の複数個（０、１または２）のＯＦＤＭシンボルがセル特定レファレンスシンボルの伝送に使用されることができる。表記Ｒｐは、アンテナポートｐ上のレファレンス信号伝送に使用される資源要素を示すために使用される。
【００３４】
端末特定レファレンス信号（または専用ＲＳ（ＤＲＳ））は、物理ダウンリンク共有チャネル（ＰＤＳＣＨ；Ｐｈｙｓｉｃａｌ  Ｄｏｗｎｌｉｎｋ  Ｓｈａｒｅｄ  Ｃｈａｎｎｅｌ）で単一−アンテナ−ポート伝送がサポートされ、アンテナポート５を介して伝送される。端末は、上位階層（上位階層信号）によって端末特定レファレンス信号が存在するか、そして物理ダウンリンク共有チャネル（ＰＤＳＣＨ）復調のための有効な位相レファレンスであるか否かに対する情報を提供される。端末特定レファレンス信号は、ただ対応する物理ダウンリンク共有チャネル（ＰＤＳＣＨ）がマッピングされたリソースブロックで伝送される。
【００３５】
ＬＴＥシステムの時間資源は、１０ｍｓｅｃフレームに分割され、そして、各フレームは、それぞれ１ｍｓｅｃ期間を有する１０サブフレームにさらに分割される。サブフレームは、２個の時間スロットに分割され、それぞれは、０．５ｍｓｅｃの期間を有する。サブフレームは、周波数ドメイン上で多重のリソースブロック（ＲＢｓ）に分割される。ここで、リソースブロック（ＲＢ）は、１２個のサブキャリアで構成される。
【００３６】
図４は、本発明の実施形態による複数の移動端末４０２、４０４、４０６及び４０８と通信を行う基地局４２０の図表４００を示す。
【００３７】
図４に示されるように、基地局４２０は、同時に多重アンテナビームを利用して複数の移動端末（ＭＳ；ｍｏｂｉｌｅ  ｓｔａｔｉｏｎ）と通信を行い、各アンテナビームは、同時に同一の周波数でその意図された移動端末に向かって形成される。基地局４２０及び移動端末４０２、４０４、４０６及び４０８は、ラジオ波（ｒａｄｉｏ  ｗａｖｅ）信号を伝送し受信するために多重アンテナを採択している。ラジオ波信号は、直交周波数分割多重化（ＯＦＤＭ）信号になることができる。
【００３８】
一実施形態において、基地局４２０は、各移動端末に対して複数の送信機（ｔｒａｎｓｍｉｔｔｅｒ）を介して同時にビームフォーミング（ｂｅａｍ  ｆｏｒｍｉｎｇ）を行う。例えば、基地局４２０は、ビームフォーミングされた信号４１０を介してデータを移動端末４０２に伝送し、ビームフォーミングされた信号４１２を介してデータを移動端末４０４に伝送し、ビームフォーミングされた信号４１４を介してデータを移動端末４０６に伝送し、ビームフォーミングされた信号４１６を介してデータを移動端末４０８に伝送する。本発明の一実施形態において、基地局４２０は、移動端末４０２、４０４、４０６、及び４０８に同時にビームフォーミングを行うことができる。他の実施形態において、各ビームフォーミングされた信号は、同一の時間及び同一の周波数でこれが意図した移動端末に向かって形成される。明確にするために、基地局から移動端末への通信は、ダウンリンク（ＤＬ）通信としてみることができ、移動端末から基地局への通信は、また、アップリンク（ＵＬ）通信としてみることができる。
【００３９】
基地局４２０及び移動端末４０２、４０４、４０６及び４０８は、無線信号を伝送し受信するための多重アンテナを採択する。無線信号は、ラジオ波信号になることができ、無線信号は、直交周波数分割多重化（ＯＦＤＭ）伝送スキームを含む当業者に知られたどんな伝送スキームでも使用することができることを理解しなければならない。
【００４０】
移動端末４０２、４０４、４０６、及び４０８は、無線信号を受信することができるどんな装置でも使用されることができる。移動端末４０２、４０４、４０６、及び４０８の例は、これに限定されないが、ＰＤＡ、ラップトップ、モバイルフォン、携帯用装置、またはビームフォーミングされた伝送を受信することができるどんな他の装置をも含む。  
【００４１】
無線通信チャネルの容量及び信頼度を向上させるために基地局及び単一移動端末の両方で多重伝送アンテナ及び多重伝送アンテナを使用することは、単一ユーザ多重入力多重出力（ＳＵ−ＭＩＭＯ；Ｓｉｎｇｌｅ  Ｕｓｅｒ  Ｍｕｌｔｉｐｌｅ  Ｉｎｐｕｔ  Ｍｕｌｔｉｐｌｅ  Ｏｕｔｐｕｔ）システムと知られている。多重入力多重出力（ＭＩＭＯ）システムは、容量がＫで線形増加することを約束する。ここで、Ｋは、伝送（Ｍ）及び受信アンテナ（Ｎ）の最小数である（例えば、Ｋ＝ｍｉｎ（Ｍ．Ｎ））。多重入力多重出力（ＭＩＭＯ）システムは、空間多重化（ｓｐａｔｉａｌ  ｍｕｌｔｉｐｌｅｘｉｎｇ）、伝送／受信ビームフォーミング、または伝送／受信ダイバシティ（ｄｉｖｅｒｓｉｔｙ）で具現されることができる。
【００４２】
ＳＵ−ＭＩＭＯの拡張である、多重ユーザＭＩＭＯ（ＭＵ−ＭＩＭＯ）は、通信シナリオである。ここで、多重伝送アンテナを有する基地局は、無線通信チャネルの容量及び信頼度を向上させるために空間分割多重接続（ＳＤＭＡ；Ｓｐａｔｉａｌ  ｄｉｖｉｓｉｏｎ  ｍｕｌｔｉｐｌｅ  ａｃｃｅｓｓ）のような多重ユーザビームフォーミングスキームの使用を通じて、複数の移動端末と同時に通信を行うことができる。
【００４３】
図５Ａは、本発明の実施形態による空間分割多重接続（ＳＤＭＡ）スキームを示す。
【００４４】
図５に示されるように、基地局４２０は、８個の伝送アンテナが装着されるが、移動端末４０２、４０４、４０６、及び４０８は、それぞれ２個のアンテナが装着される。この実施形態で、基地局４２０は、８個の伝送アンテナを有する。各伝送アンテナは、ビームフォーミングされた信号４１０、５０２、５０４、４１２、４１４、５０６、４１６及び５０８のうち１つを伝送する。この実施形態において、移動端末４０２は、ビームフォーミングされた伝送４０１及び５０２を受信し、移動端末４０４は、ビームフォーミングされた伝送５０４及び４１２を受信し、移動端末４０６は、ビームフォーミングされた伝送５０６及び４１４を受信し、移動端末４０８は、ビームフォーミングされた伝送５０８及び４１６を受信する。
【００４５】
基地局４２０が８個の伝送アンテナビームを有するので（各アンテナビームは、データストリームのうち１つのデータストリームである）、ビームフォーミングされたデータの８個のストリームは、基地局４２０に形成される。各移動端末は、この例においてデータの最大２個のストリーム（ビーム）を受信することができる（受信することができる能力を有する）。各移動端末４０２、４０４、４０６、及び４０８は、多重ストリームの代わりに、ただデータの１つの端末ストリーム（ビーム）を受信するように制限される。同時に、これは、多重ユーザビームフォーミング（すなわち、ＭＵ−ＢＦ、ｍｕｌｔｉ−ｕｓｅｒ  ｂｅａｍｆｏｒｍｉｎｇ）になることができる。
【００４６】
３ＧＰＰ  ＬＴＥ−Ａ、リリース−１０（Ｒｅｌ−１０）で、アップリンクＭＩＭＯ空間多重化（ＳＭ；ｓｐａｔｉａｌ  ｍｕｌｔｉｐｌｅｘｉｎｇ）が紹介される。ユーザ装置（ＵＥ）がＬＴＥ−ＡでアップリンクＭＩＭＯ空間多重化スキームを利用してサブフレームで信号を伝送するためにスケジューリングされるとき、ユーザ装置（ＵＥ）は、サブフレームで２個のコードワード（ＣＷ；ｃｏｄｅｗｏｒｄ）まで伝送することができる。
【００４７】
【数３】
0005934399.tif 000004
【００４８】
このアップリンク伝送のキーコンポネント（ｋｅｙ  ｃｏｍｐｏｎｅｎｔ）のうち１つは、データ／制御多重化機能である。
【００４９】
図５Ｂは、本発明の実施形態による物理アップリンク共有チャネル（ＰＵＳＣＨ；ｐｈｙｓｉｃａｌ  ｕｐｌｉｎｋ  ｓｈａｒｅｄ  ｃｈａｎｎｅｌ）伝送チェーン５１０を示す。
【００５０】
図５Ｂは、Ｎｔ伝送アンテナユーザ装置（ＵＥ）上のＮ階層伝送を示す。図５Ｂは、逆高速フーリエ変換（ＩＦＦＴ；ｉｎｖｅｒｓｅ  ｆａｓｔ  Ｆｏｕｒｉｅｒ  ｔｒａｎｓｆｏｒｍ）ユニット５１３−１から５１３−Ｎでサブキャリアの隣接するセットに対するＮ離散フーリエ変換（ＤＦＴ；Ｄｉｓｃｒｅｔｅ  Ｆｏｕｒｉｅｒ  Ｔｒａｎｓｆｏｒｍ）プリコーディングユニット５１１−１から５１１−Ｎの出力がマッピングされたことを示す。
【００５１】
ＰＵＳＣＨ伝送チェーン５１０のキーコンポネントのうち１つは、データ／制御多重化ユニット５１５に具現されたデータ／制御多重化機能であり、これは、２００８年１２月、“Ｅ−ＵＴＲＡ、Ｍｕｌｔｉｐｌｅｘｉｎｇ  ａｎｄ  Ｃｈａｎｎｅｌ  Ｃｏｄｉｎｇ”、３ＧＰＰ  ＴＳ  ３６．２１２  ｖ  ８．５．０で完全に特定される。これは、この文献に全体が記載されたように、本発明の明細書に参照として含まれる。
【００５２】
この階層マッピングは、ＤＦＴプリコーディング以前に行われる。したがって、データ及び制御情報は、適切に多重化されてインターリビングされる。伝送プリコーディングは、ＤＦＴプリコーディングユニット５１１−１から５１１−Ｎの出力でＮ次元信号をＩＦＦＴユニット５１３−１から５１３−Ｎに対する入力のようなＮｔ次元信号に変換するために、サブキャリア単位当たり、ＤＦＴプリコーディングユニット５１１−１から５１１−ｎとＩＦＦＴユニット５１３との間に行われる。ＩＦＦＴユニット５１３−１から５１３−Ｎの入力でサブキャリアマッピングは、サブキャリアの非隣接セグメントを含むことができる。
【００５３】
本発明の一実施形態において、（ＣＱＩ、ＲＩ及びＡ／Ｎビットを含む）すべてのアップリンク制御情報は、アップリンク制御情報を伝達するための特定階層を選択する次の方法で、階層のうちただ１つで伝達する。伝送階層の全体数は、Ｎで示される。
【００５４】
Ｎ階層によって使用される変調及びコーディングスキーム（ＭＣＳ；ｍｏｄｕｌａｔｉｏｎ  ａｎｄ  ｃｏｄｉｎｇ  ｓｃｈｅｍｅ）が異なる場合、最大ＭＣＳ値を有する階層がＣＱＩ、ＲＩ及びＡ／Ｎのようなアップリンク制御情報を伝達するために選択される。ＭＣＳ値は、典型的に（ｅＮｏｄｅＢによってＵＥに伝達する）アップリンクスケジュール割り当てグラント（ＵＬ  ｓｃｈｅｄｕｌｅ  ａｓｓｉｇｎｍｅｎｔ  ｇｒａｎｔ）で伝達され、したがって、このデータ及び制御伝送の時間をユーザ装置（ＵＥ）で把握することができる。制御領域サイズは、資源要素の数として定義される。
【００５５】
もし、Ｎ階層によって使用されるＭＣＳが同一である場合、第１階層は、ＣＱＩ、ＲＩ及びＡ／Ｎのようなアップリンク制御情報を伝達するために選択される。そのような実施形態は、階層ミキシング（ｌａｙｅｒ  ｍｉｘｉｎｇ）／階層順列（ｌａｙｅｒｐｅｒ  ｍｕｔａｔｉｏｎ）のような技術が同一のチャネル品質を保証するために使用される状況に適していて、したがって、同一のＭＣＳ値がすべての階層上に適用される。
【００５６】
階層の選択は、ダウンリンク制御情報（ＤＣＩ；ｄｏｗｎｌｉｎｋ  ｃｏｎｔｒｏｌ  ｉｎｆｏｒｍａｔｉｏｎ）フォーマット０または他のアップリンクグラントＤＣＩフォーマットを利用して、追加制御フィールドとしてアップリンクスケジューリンググラントで明示的にシグナリングされることができる。
【００５７】
追加に、３個の制御領域（ＣＱＩ、ＲＩ、Ａ／Ｎ）のサイズは、対応するアップリンク制御情報（ＵＣＩ；ｕｐｌｉｎｋ  ｃｏｎｔｒｏｌ  ｉｎｆｏｒｍａｔｉｏｎ）サイズの機能、制御領域が伝送される階層と連関されたＭＣＳ値、及び上位階層シグナリングオフセットとして決定される。制御領域サイズの正確な算出は、２００８年１２月、３ＧＰＰ  ＬＴＥ標準である３ＧＰＰ  ＴＳ  ３６．２１２  ｖ  ８．５．０“Ｅ−ＵＴＲＡ、Ｍｕｌｔｉｐｌｅｘｉｎｇ  ａｎｄ  Ｃｈａｎｎｅｌ  Ｃｏｄｉｎｇ”に既に特定されたものと類似する。これは、その全体が本発明に含まれたもののように参照として本文献に含まれる。
【００５８】
例えば、単一のコードワード（ＣＷ）ソリューションが階層順列／ミキシングを有するアップリンクＭＩＭＯで使用されれば、すべての階層を意味するものは、同一のＭＣＳを有する。それでは、２００８年１２月、３ＧＰＰ  ＬＴＥ標準のセクション５．２．２．６、３ＧＰＰ  ＴＳ  ３６．２１２、バージョン８．５．０、“Ｅ−ＵＴＲＡ、Ｍｕｌｔｉｐｌｅｘｉｎｇ  ａｎｄ  Ｃｈａｎｎｅｌ  ｃｏｄｉｎｇ”でＨＡＲＱ（ｈｙｂｒｉｄ  ａｕｔｏｍａｔｉｃ  ｒｅｐｅａｔ  ｒｅｑｕｅｓｔ）及びＲＩ（ｒａｎｋ  ｉｎｄｉｃａｔｉｏｎ）ビットのための制御領域方程式が下記の数式１に示されるように修正されることができる：
【００５９】
【数４】
0005934399.tif 000005
【００６０】
分子（ｎｕｍｅｒａｔｏｒ）で、階層の数を示す、ファクター“Ｎ”が含まれることにご注意すべきである。分子において、和は、すべての階層ですべてのコードブロック（ＣＢ；ｃｏｄｅ  ｂｌｏｃｋ）を超過する。ここで、Ｃ（ｎ）は、階層ｎでコードブロックの数を示す。そして、Ｋｒ，ｎは、階層ｎでｒ番目コードブロックのサイズを示す。同様に、ＣＱＩビットのための制御領域方程式は、下記の数式２で示される：
【００６１】
【数５】
0005934399.tif 000006
【００６２】
他の実施形態で、もし階層でＭＣＳが異なっていて、ｐ番目の階層がＵＣＩが伝送される階層として選択されれば、数式１及び数式２は、各々下記の数式３及び数式４に示されるように修正されることができる：
【００６３】
ＲＩ及びＡ／Ｎビットに対して、
【数６】
0005934399.tif 000007
そして、ＣＱＩビットに対して
【数７】
0005934399.tif 000008
【００６４】
本発明の一部実施形態において、アップリンク制御情報は、ＭＩＭＯアップリンクサブフレームでアップリンク上で伝送されるＮ階層のサブセット上にマッピング／割当される。サブセット、Ｎｓのサイズは、Ｎで示される、階層の全体数より小さいか、または同一であることができる。
【００６５】
サブセットサイズＮｓは、Ｎより小さい。すなわち、Ｎｓ＜Ｎである。それでは、アップリンク制御伝送のために使用される階層は、次の方法のうち１つによってユーザ装置（ＵＥ）で認知することができる。
【００６６】
例えば、アップリンク制御情報のために使用される階層のサブセットは、また、ＤＣＩフォーマット０または一部の他のアップリンクグラントＤＣＩフォーマットを利用して、追加制御フィールドとして、アップリンクスケジューリンググラントで明示的にシグナリングされることができる。
【００６７】
他の実施形態において、階層のサブセットは、（１）コードワードの数、（２）階層マッピング構造に対するコードワード、及び（３）最大ＭＣＳ値を使用するコードワードによって、ユーザ装置（ＵＥ）によって明示的に推論されることができる。例えば、もしＮ＝４であり、階層３、４がコードワード２伝送のために使用されるとき、階層１、２がコードワード１伝送のために使用され、そしてコードワード１によって使用されるＭＣＳがコードワード２によって使用されるＭＣＳより良い場合、ユーザ装置は、階層１及び２上でアップリンク制御情報を伝送するように決定することができる。ここで、階層１及び２は、さらに良いＭＣＳを有する階層に対応する。
【００６８】
特定の実施形態において、アップリンク制御領域の決定は、次の規則のうち１つに従う。制御情報を含む階層のサブセットは、活性化された階層で示されることを留意しなければならない。
【００６９】
ケース１．もし、アップリンク制御情報のために使用される活性化階層が同一のＭＣＳを有する場合、活性化階層にかけて各制御領域（ＣＱＩ、ＲＩ、Ａ／Ｎ）の全体サイズは、対応するＵＣＩサイズ及びこの単一ＭＣＳ値の機能として決定される。そして、制御情報は、活性化階層にかけて均等に配分される。ここで、各階層は、約全体制御領域サイズの１／Ｎｓを得る。そのような実施形態は、階層ミキシング（ｌａｙｅｒ  ｍｉｘｉｎｇ）／階層順列（ｌａｙｅｒ  ｐｅｒｍｕｔａｔｉｏｎ）のような技術が同一のチャネル品質を保証するために使用される状況に適していて、よって同一のＭＣＳ値がすべての階層上に適用される。
【００７０】
ケース２．活性化階層がそれらの伝送で異なるＭＣＳを有する場合、２個の代案が適用される。
【００７１】
ケース２ａ．各活性化階層のために、階層当たり制御領域サイズは、個別階層上のＵＣＩサイズ及びＭＣＳによって決定される。制御領域の全体サイズは、活性化階層上に階層当たり制御領域サイズの和である。そして、制御情報は、階層当たり制御領域サイズによって活性化階層に配分される。
【００７２】
ケース２ａに対して、全体制御領域サイズを決定する一例は、下記の数式５及び数式６に示さるたように、数式１及び数式２を各々修正したものにより与えられることができる：
ｎ＝１、…Ｎｓであるとき、
【数８】
0005934399.tif 000009
ここで、Ｑ’（ｎ）は、ｎ番目の活性化階層でＲＩ及びＡ／Ｎシンボルの数である。
【数９】
0005934399.tif 000010
ここで、Ｑ’（ｎ）は、ｎ番目の活性化階層でＣＱＩシンボルの数である。そして、ＱＲＩ（ｎ）は、この活性化階層上に割り当てられるＲＩシンボルの数である。
【００７３】
ケース２ｂ．全体制御領域のサイズは、すべての活性化階層上のＭＣＳ及びＵＣＩサイズの機能として共同で決定される。そして、制御情報は、全体活性化階層にかけて均等に分配される。ここで、各階層は、約全体制御領域サイズの１／Ｎｓを得る。
【００７４】
ケース１及びケース２ｂの両方に対して、全体制御領域サイズを決定する１つの例は、数式７及び数式８に各々示されるように、数式１及び数式２を修正することによって与えられることができる：
【００７５】
ＲＩ及びＡ／Ｎビットに対して、
【数１０】
0005934399.tif 000011
分母（ｄｅｎｏｍｉｎａｔｏｒ）上の第１足し上げ（ｓｕｍｍａｔｉｏｎ）は、全体活性化階層にかけて足し上げされることに留意しなければならない。
【００７６】
ＣＱＩビットに対して、
【数１１】
0005934399.tif 000012
【００７７】
【数１２】
0005934399.tif 000013
【００７８】
現在のＬＴＥ規格で、基地局（ｅＮｏｄｅＢ）及びユーザ装置（ＵＥ）は、ＨＡＲＱプロセスと関連した物理信号を交換する。
【００７９】
ユーザ装置（ＵＥ）に対するダウンリンク伝送のために、基地局（ｅＮｏｄｅＢ）は、サブフレームでＨＡＲＱ識別子番号＃ｎを含んでダウンリンク伝送グラントをユーザ装置（ＵＥ）に伝送する。同一のサブフレームで、基地局（ｅＮｏｄｅＢ）は、また、ＨＡＲＱプロセスのためにユーザ装置（ＵＥ）に最大２個のパケット（または伝送ブロック（ＴＢ；ｔｒａｎｓｐｏｒｔ  ｂｌｏｃｋ））を伝送する。４個のサブフレーム後に、ユーザ装置は、ＨＡＲＱプロセス番号＃ｎでパケットの応答（ａｃｋｎｏｗｌｅｄｇｅｍｅｎｔ）を基地局に伝送する。応答信号は、２個のパケットに対して最大２個のビットを含み、各ビットは、ユーザ装置でデコーディング結果を示す。もし、ユーザ装置が成功的にパケットをデコーディングすれば、応答信号は、パケットに対する肯定応答（ＡＣＫ）ビットを有する。そうでなければ、応答信号は、パケットに対して否定応答（ＮＡＣＫ）ビットを有する。もし、否定応答がパケットに対して受信されれば、基地局は、ＨＡＲＱ識別子＃ｎを含む伝送グラントと、否定応答（ＮＡＣＫ）を受信したサブフレームからいくつかのサブフレーム以後のサブフレームでユーザ装置にＨＡＲＱプロセスのための再伝送パケットを伝送する。
【００８０】
ユーザ装置（ＵＥ）に対するアップリンク伝送のために、基地局（ｅＮｏｄｅＢ）は、サブフレームでＨＡＲＱ識別子番号＃ｎを含んでアップリンク伝送グラントをユーザ装置（ＵＥ）に伝送する。４個のフレーム後に、ユーザ装置は、基地局にＨＡＲＱプロセスのためのパケットを伝送する。４個のフレーム後に、基地局は、ユーザ装置にＨＡＲＱプロセス＃ｎでパケットの応答（ａｃｋｎｏｗｌｅｄｇｅｍｅｎｔ）を伝送する。もし、基地局がパケットを成功的にデコーディングすれば、基地局は、肯定応答（ＡＣＫ）を伝送する。そうでなければ、基地局は、ユーザ装置に否定応答（ＮＡＣＫ）を伝送する。もし、否定応答（ＮＡＣＫ）が受信されれば、ユーザ装置（ＵＥ）は、ユーザ装置が否定応答を受信したサブフレームで４個フレーム以後のサブフレームで、ＨＡＲＱプロセスのためのパケットを基地局に再伝送する。
【００８１】
ダウンリンク制御情報（ＤＣＩ）を伝達する物理ダウンリンク制御チャネル（ＰＤＣＣＨ；ｐｈｙｓｉｃａｌ  ｄｏｗｎｌｉｎｋ  ｃｏｎｔｒｏｌ  ｃｈａｎｎｅｌ）は、１つ以上の連続された制御チャネル要素（ＣＣＥ；ｃｏｎｔｒｏｌ  ｃｈａｎｎｅｌ  ｅｌｅｍｅｎｔ）の結合で伝送される。ダウンリンクキャリアで利用可能なＣＣＥは、０からＮＣＣ−１まで番号が付与される。
【００８２】
ＬＴＥシステムで、物理アップリンク制御チャネル（ＰＵＣＣＨ；ｐｈｙｓｉｃａｌ  ｕｐｌｉｎｋ  ｃｏｎｔｒｏｌ  ｃｈａｎｎｅｌ）は、次の多重領域で追加に分割される：ＣＱＩ領域、連続−ＡＣＫ／ＮＡＣＫ及びスケジューリング要請領域（Ｐ−ＡＣＫ／ＳＲ）、及び動的ＡＣＫ／ＮＡＣＫ領域（Ｄ−ＡＣＫ）がそれである。ＣＱＩ資源は、その資源対、すなわち、循環サイクリックシフト（ＣＳ；ｃｙｃｌｉｃ  ｓｈｉｆｔ）インデックス及び資源要素（ＲＢ）インデックスによって固有に識別される。他の側面で、Ｐ−ＡＣＫ／ＳＲまたはＤ−ＡＣＫ資源は、そのリソース３者（ｔｒｉｐｌｅ）、すなわち、ＣＳインデックス、ＯＣ（ｏｒｔｈｏｇｏｎａｌ  ｃｏｖｅｒ）及びＲＢインデックスによって固有に識別される。
【００８３】
【数１３】
0005934399.tif 000014
【００８４】
整理すれば、ＬＴＥシステムで、サブフレームｎでＣＣＥインデックスからサブフレームｎ−ｋでＰＵＣＣＨ  ＡＮリソース３者に一対一マッピングされる関数が存在する。
【００８５】
このような点は、アップリンクキャリア結合システムで、ＣＱＩ（ｃｈａｎｎｅｌ  ｑｕａｌｉｔｙ  ｉｎｆｏｒｍａｔｉｏｎ）、ＲＩ（ｒａｎｋ  ｉｎｆｏｒｍａｔｉｏｎ）、Ａ／Ｎ（ＡＣＫ／ＮＡＣＫ  ｉｎｆｏｒｍａｔｉｏｎ）のようなデータ及び制御情報を同時に伝送するためのシステム及び方法を提供する。また、すべての３個の形式のアップリンク制御情報は、一般的にＵＣＩで示されることを留意しなければならない。
【００８６】
アップリンクキャリア結合システムが考慮される。このシステムは、Ａ／Ｎがサブフレームｎ−ｋで発生するダウンリンクＰＤＳＣＨ伝送に応答するためのＲｅｌ−８  ＬＴＥプロシージャによってサブフレームｎにスケジューリングされる。そのようなシステムで、物理ダウンリンク共有チャネル（ＰＤＳＣＨ）は、サブフレームｎ−ｋの１つ以上のダウンリンクキャリアで伝送されることができる。Ａ／Ｎを伝達する情報ビットの数は、ＮＡＮによって示される。ここで、ＮＡＮは、正の整数である。
【００８７】
図６Ａは、本発明の実施形態によって物理アップリンク共有チャネル（ＰＵＳＣＨ；ｐｈｙｓｉｃａｌ  ｕｐｌｉｎｋ  ｓｈａｒｅｄ  ｃｈａｎｎｅｌ）がスケジューリングされないサブ  フレームでＡ／Ｎ伝送６００を示す。
【００８８】
サブフレームｎでスケジューリングされたアップリンクＰＵＳＣＨ伝送無しに、Ａ／Ｎは、サブフレームでアップリンクチャネルに伝送される。このような場合、アップリンクチャネルは、ＰＵＣＣＨフォーマット１、ＰＵＣＣＨフォーマット２、ＤＦＴ−ｓ−ＯＦＤＭまたはＰＵＳＣＨの新しいＰＵＣＣＨフォーマットになることができる。図６Ａに示されるように、Ａ／Ｎ  ６０１は、サブフレームｎの第１スロットの１つの帯域エッジに近接して位置するリソースブロック、そしてアップリンクＰＣＣ（ｐｒｉｍａｒｙ  ｃｏｍｐｏｎｅｎｔ  ｃａｒｒｉｅｒ）でサブフレームｎの第１スロットの他の帯域エッジに近接して位置する他のリソースブロック上のＰＵＣＣＨで伝送される。
【００８９】
図６Ｂは、本発明の実施形態によって物理アップリンク共有チャネル（ＰＵＳＣＨ）が１つのアップリンクコンポネントキャリア（ＵＬ  ＣＣ；ｕｐｌｉｎｋ  ｃｏｍｐｏｎｅｎｔ  ｃａｒｒｉｅｒ）でスケジューリングされるサブフレームでＡ／Ｎ伝送６１０を示す。
【００９０】
図６Ｂに示されるように、サブフレームｎで１つのアップリンクＣＣでスケジューリングされたアップリンクＰＵＳＣＨ伝送を有する、アップリンクデータ及びＡ／Ｎを多重化する２個の方法を図６Ｂ考慮することが可能である。（Ａ／Ｎ多重化スキーム１で示される）いずれか１つのスキームにおいて、アップリンクデータがもし存在したら、スケジューリングされたアップリンクＣＣのＰＵＳＣＨで伝送されるとき、Ａ／Ｎは、ＰＣＣのＰＵＣＣＨで伝送される。（Ａ／Ｎ多重化スキーム２で示される）他の１つのスキームにおいて、Ａ／Ｎは、スケジューリングされたアップリンクＣＣのＰＵＳＣＨでピギーバックされる（ｐｉｇｇｙｂａｃｋｅｄ）。個別実施形態において、Ａ／Ｎは、次の２つの米国特許によって提案された方法によってＰＵＳＣＨでピギーバックされる。この特許は、２００９年１月３０日に出願された米国特許仮出願第６１／２０６、４５５号、発明の名称“Ｕｐｌｉｎｋ  Ｄａｔａ  Ａｎｄ  Ｃｏｎｔｒｏｌ  Ｓｉｇｎａｌ  Ｔｒａｎｓｍｉｓｓｉｏｎ  ｉｎ  ＭＩＭＯ  Ｗｉｒｅｌｅｓｓ  Ｓｙｓｔｅｍｓ”と、２００９年１２月１８日に出願された米国特許出願第１２／６４１、９５１号、発明の名称“Ｓｙｓｔｅｍ  Ａｎｄ  Ｍｅｔｈｏｄ  Ｆｏｒ  Ｕｐｌｉｎｋ  Ｄａｔａ  Ａｎｄ  Ｃｏｎｔｒｏｌ  Ｓｉｇｎａｌ  Ｔｒａｎｓｍｉｓｓｉｏｎ  Ｉｎ  ＭＩＭＯ  Ｗｉｒｅｌｅｓｓ  Ｓｙｓｔｅｍｓ”である。この特許は、両方共に、その全体が本発明で説明されるように、参照として本文献に含まれる。
【００９１】
図６Ｃは、本発明の実施形態によって物理アップリンク共有チャネル（ＰＵＳＣＨ）が１つ以上のコンポネントキャリア（ＣＣ）でスケジューリングされるサブフレームでＡ／Ｎ伝送スキームを示す。
【００９２】
アップリンクＰＵＳＣＨ伝送がサブフレームｎの１つ以上のアップリンクＣＣでスケジューリングされるとき、アップリンクデータとＡ／Ｎを多重化する３個の方法を考慮することができる。図６Ｃに示されたようないずれか１つのスキーム６２０（Ａ／Ｎ多重化スキーム３）において、アップリンクデータがスケジューリングされたアップリンクＣＣのＰＵＳＣＨで伝送されるとき、Ａ／Ｎは、ＰＣＣのＰＵＣＣＨで伝送される。（Ａ／Ｎ多重化スキーム４で示される）他のスキーム６３０において、Ａ／Ｎは、スケジューリングされたアップリンクＣＣのうち１つのＰＵＳＣＨでピギーバックされる。ここで、Ａ／Ｎは、米国特許仮出願第６１／２０６、４５５号及び米国特許出願第１２／６４１、９５１号で提案した方法によって１つのＣＣのＰＵＳＣＨ上でピギーバックされる。（Ａ／Ｎ多重化スキーム５で示される）他のスキーム６４０において、Ａ／Ｎは、すべてのスケジューリングされたアップリンクＣＣのＰＵＳＣＨでピギーバックされる。ここで、Ａ／Ｎは、米国特許仮出願第６１／２０６、４５５号及び米国特許出願第１２／６４１、９５１号で提案されたような方法によって各ＣＣのＰＵＳＣＨ上でピギーバックされる。
【００９３】
Ａ／Ｎ多重化スキーム３は、ＰＵＳＣＨがただ１つのアップリンクＣＣでスケジューリングされるとき、Ａ／Ｎ多重化スキーム１と同一になることができることに留意しなければならない。追加に、Ａ／Ｎ多重化スキーム４及び５は、ＰＵＳＣＨがただ１つのアップリンクＣＣでスケジューリングされるとき、Ａ／Ｎ多重化スキーム２と同一になることができる。
【００９４】
Ａ／Ｎ多重化スキーム４で、ＰＵＳＣＨがＡ／Ｎをピギーバックすることができる１つのＣＣは、規則によって選択される。例示的な規則は、次の通りである：（１）サブフレームｎでスケジューリングされたＰＵＳＣＨのアップリンクＣＣのうち最大ＭＣＳを有するスケジューリングされたＰＵＳＣＨＣＣが選択される。（２）サブフレームｎでスケジューリングされたＰＵＳＣＨのアップリンクＣＣのうち低いＣＣ−ＩＤを有するＣＣが選択される。または（３）サブフレームｎでスケジューリングされたＰＵＳＣＨのアップリンクＣＣのうち低いＰＣＩＤ（ｐｈｙｓｉｃａｌ  ｃｅｌｌ  ＩＤ）を有するＣＣが選択される。
【００９５】
本発明の一実施形態において、ユーザ装置がサブフレームｎで１つ以上のアップリンクＣＣの１つ以上のアップリンクグラントを受信するとき、ユーザ装置は、１つの固定されたスキームを利用してサブフレームｎでＡ／Ｎを伝送する。他の側面で、ユーザ装置がどんなアップリンクグラントも受信しないとき、ユーザ装置は、アップリンクＰＣＣのＰＵＣＣＨでＡ／Ｎを伝送することができる。例えば、ＰＵＳＣＨがサブフレームｎの１つ以上のアップリンクＣＣでスケジューリングされるとき、使用される１つの固定されたＡ／Ｎ伝送スキームは、Ａ／Ｎ多重化スキーム１、スキーム２、スキーム３、スキーム４またはスキーム５になることができる。
【００９６】
一実施形態において、ＰＵＳＣＨがサブフレームｎの１つ以上のアップリンクＣＣでスケジューリングされるとき、使用される１つのＡ／Ｎ伝送スキームは、ＰＵＳＣＨ及びＰＵＣＣＨを同時に伝送するＡ／Ｎ多重化スキーム１または３である。この場合において、ユーザ装置からＡ／Ｎを検出するために、基地局（ｅＮｏｄｅＢ）は、ただＰＣＣのＰＵＣＣＨで信号を検出することだけが要請される。したがって、基地局の具現は、このスキームが選択されるとき、さらに簡単になることができる。しかし、ユーザ装置は、ユーザ装置が多重アップリンクチャネルを同時に伝送することのように、増加したＰＡＰＲ（ｐｅａｋ−ｔｏ−ａｖｅｒａｇｅ  ｐｏｗｅｒ  ｒａｔｉｏ）によって問題を経験することができる。
【００９７】
他の実施形態において、ＰＵＳＣＨがサブフレームｎの１つ以上のアップリンクＣＣでスケジューリングされるとき、使用される１つのＡ／Ｎ伝送スキームは、サブフレームｎのすべてのスケジューリングされたＰＵＳＣＨのＡ／ＮをピギーバックするＡ／Ｎ多重化スキーム２または５である。このような場合において、ユーザ装置からＡ／Ｎを検出するために、基地局は、２個の仮説（ｈｙｐｏｔｈｅｓｉｓ）の間で仮説テストを行う：（１）Ａ／Ｎは、ＰＣＣのＰＵＣＣＨで伝達される。そして（２）Ａ／Ｎは、すべてのアップリンクＣＣのＰＵＳＣＨでピギーバックされる。したがって、基地局具現は、このスキームが選択されるとき、多少さらに複雑なる可能性がある。しかし、ユーザ装置は、減少したＰＡＰＲ（ｐｅａｋ−ｔｏ−ａｖｅｒａｇｅ  ｐｏｗｅｒ  ｒａｔｉｏ）によって利益を受けることができる。
【００９８】
本発明の実施形態において、ユーザ装置は、上位階層シグナリング（ＲＲＣ（ｒａｄｉｏ  ｒｅｓｏｕｒｃｅ  ｃｏｎｔｒｏｌ）またはＭＡＣ（ｍｅｄｉｕｍ  ａｃｃｅｓｓ  ｃｏｎｔｒｏｌ））を受信する。ユーザ装置がサブフレームｎで１つ以上のアップリンクＣＣのＰＵＳＣＨをスケジューリングする１つ以上のアップリンクグラントを受信するとき、ユーザ装置は、上位階層シグナリングに伝達される情報要素（ＩＥ；ｉｎｆｏｒｍａｔｉｏｎ  ｅｌｅｍｅｎｔ）によって決定されるＡ／Ｎ多重化スキームを利用してＡ／Ｎを伝送する。他の側面において、ユーザ装置がどんなアップリンクグラントも受信しないとき、ユーザ装置は、アップリンクＰＣＣのＰＵＣＣＨでＡ／Ｎを伝送する。
【００９９】
一実施形態において、情報要素（ＩＥ）、ＡＮＰｉｇｇｙｂａｃｋＣｏｎｆｉｇｕｒａｔｉｏｎ  ＩＥが上位階層で定義される。ＡＮＰｉｇｇｙｂａｃｋＣｏｎｆｉｇｕｒａｔｉｏｎ  ＩＥのシグナリングされた値によって、ユーザ装置は、Ａ／Ｎ多重化スキームを選択する。個別に、ユーザ装置がサブフレームｎの１つ以上のアップリンクＣＣでＰＵＳＣＨをスケジューリングする１つ以上のアップリンクグラントを受信するとき、
−ＡＮＰｉｇｇｙｂａｃｋＣｏｎｆｉｇｕｒａｔｉｏｎ＝０であるとき、ユーザ装置は、アップリンクＰＣＣのＰＵＣＣＨでＡ／Ｎを伝送するＡ／Ｎ伝送スキーム１または３を利用してＡ／Ｎを伝送する。  −ＡＮＰｉｇｇｙｂａｃｋＣｏｎｆｉｇｕｒａｔｉｏｎ＝１であるとき、ユーザ装置は、サブフレームｎのすべてのスケジューリングされたＰＵＳＣＨでＡ／ＮをピギーバックするＡ／Ｎ伝送スキーム２または５を利用してＡ／Ｎを伝送する。
【０１００】
本発明の実施形態において、ユーザ装置は、サブフレームでＡ／Ｎ多重化方法を決定するための規則に従う。ユーザ装置がサブフレームｎの１つ以上のアップリンクＣＣでＰＵＳＣＨをスケジューリングする１つ以上のアップリンクグラントを受信するとき、ユーザ装置は、規則に従って選択されたスキームを利用してサブフレームｎでＡ／Ｎを伝送する。他の側面で、ユーザ装置がどんなアップリンクグラントも受信しないとき、ユーザ装置は、アップリンクＰＣＣのＰＵＣＣＨでＡ／Ｎを伝送する。
【０１０１】
（Ａ／Ｎ伝送（Ｔｘ）スキーム選択規則１で示される）１つの例示的な規則において、ユーザ装置は、ユーザ装置がＣＱＩレポートを要請する少なくとも１つのアップリンクグラントで受信するか否かによってＡ／Ｎ伝送スキームを選択する。（例えば、アップリンクグラントは、ＣＱＩ要請ＩＥ＝１を有する）。特に、
−ユーザ装置がＣＱＩレポートを要請する少なくとも１つのアップリンクグラントを受信するとき、ユーザ装置は、ＣＱＩを伝達するすべてのＰＵＳＣＨ上でＡ／Ｎをピギーバックする。
−ユーザ装置がＣＱＩレポートを要請するどんなアップリンクグラントも受信しないとき、ユーザ装置は、アップリンクＰＣＣのＰＵＣＣＨでＡ／Ｎを伝送する。
【０１０２】
このような場合、基地局（ｅＮｏｄｅＢ）は、ＣＱＩを伝達するＰＵＳＣＨまたはＰＣＣのＰＵＣＣＨでＡ／Ｎを探すことができる。
【０１０３】
（Ａ／Ｎ伝送スキーム規則２で示される）他の例示的な規則において、ユーザ装置は、ユーザ装置がアップリンクＰＣＣでＰＵＳＣＨをスケジューリングするアップリンクグラントを受信するか否かによってＡ／Ｎ伝送スキームを選択する。Ａ／Ｎ伝送スキーム選択規則２の（Ａ／Ｎ伝送スキーム選択規則２−１で示される）一例において、
−ユーザ装置がアップリンクＰＣＣでＰＵＳＣＨをスケジューリングするアップリンクグラントを受信するとき、ユーザ装置は、アップリンクＰＣＣにスケジューリングされたＰＵＳＣＨ上でＡ／Ｎをピギーバックする。
−ユーザ装置がアップリンクＰＣＣでＰＵＳＣＨをスケジューリングするアップリンクグラントを受信しないとき、ユーザ装置は、アップリンクＰＣＣのＰＵＣＣＨでＡ／Ｎを伝送する。
【０１０４】
このような場合、基地局は、アップリンクＰＣＣで伝送されるＰＵＳＣＨまたはＰＣＣのＰＵＣＣＨで、Ａ／Ｎを探すことができる。
【０１０５】
Ａ／Ｎ伝送スキーム選択規則２の（Ａ／Ｎ伝送スキーム選択規則２−２で示される）他の例示的な規則において、
−ユーザ装置がアップリンクＰＣＣでＰＵＳＣＨをスケジューリングするアップリンクグラントを受信するとき、ユーザ装置は、アップリンクＰＣＣのＰＵＣＣＨでＡ／Ｎを伝送する。
−ユーザ装置がアップリンクＰＣＣでＰＵＳＣＨをスケジューリングするアップリンクグラントを受信しないとき、ユーザ装置は、サブフレームｎにスケジューリングされたすべてのＰＵＳＣＨ上でＡ／Ｎをピギーバックする。
【０１０６】
このような場合、基地局は、スケジューリングされたＰＵＳＣＨまたはＰＣＣのＰＵＣＣＨでＡ／Ｎを探すことができる。
【０１０７】
本発明の一実施形態において、ユーザ装置は、サブフレームでＡ／Ｎ多重化方法を決定する規則に従う。ここで、規則は、少なくとも部分的に、上位階層シグナリング（ＲＲＣまたはＭＡＣ）に基づく。ユーザ装置がサブフレームｎで１つ以上のアップリンクＣＣのＰＵＳＣＨをスケジューリングする１つ以上のアップリンクグラントを受信するとき、ユーザ装置は、規則に従って選択されたスキームを利用してサブフレームｎでＡ／Ｎを伝送する。他の側面で、ユーザ装置がアップリンクグラントを受信しないとき、ユーザ装置は、アップリンクＰＣＣのＰＵＣＣＨでＡ／Ｎを伝送する。
【０１０８】
（Ａ／Ｎ伝送スキーム選択規則３で示される）１つの例示的な規則において、ユーザ装置は、ユーザ装置がアップリンクＰＣＣのＰＵＳＣＨをスケジューリングするアップリンクグラントを受信するか否かによって、そしてＡＮＰｉｇｇｙｂａｃｋＣｏｎｆｉｇｕｒａｔｉｏｎ  ＩＥのような、情報要素（ＩＥ）を伝達するＲＲＣシグナリングによって、Ａ／Ｎ伝送スキームを選択する。特に、ユーザ装置がサブフレームｎの１つ以上のアップリンクＣＣでＰＵＳＣＨをスケジューリングする１つ以上のアップリンクグラントを受信するとき、
−ユーザ装置がアップリンクＰＣＣでＰＵＳＣＨをスケジューリングするアップリンクグラントを受信し、そしてＡＮＰｉｇｇｙｂａｃｋＣｏｎｆｉｇｕｒａｔｉｏｎ＝１であるとき、ユーザ装置は、アップリンクＰＣＣでスケジューリングされたＰＵＳＣＨ上のＡ／Ｎをピギーバックする。
−ユーザ装置がアップリンクＰＣＣのＰＵＳＣＨをスケジューリングするアップリンクグラントを受信し、ＡＮＰｉｇｇｙｂａｃｋＣｏｎｆｉｇｕｒａｔｉｏｎ＝０であるとき、ユーザ装置は、アップリンクＰＣＣのＰＵＣＣＨでＡ／Ｎを伝送する。
−ユーザ装置がアップリンクＰＣＣでＰＵＳＣＨをスケジューリングするアップリンクグラントを受信せず、ＡＮＰｉｇｇｙｂａｃｋＣｏｎｆｉｇｕｒａｔｉｏｎ＝１であるとき、ユーザ装置は、サブフレームｎにスケジューリングされたすべてのＰＵＳＣＨ上でＡ／Ｎをピギーバックする。
−ユーザ装置がアップリンクＰＣＣでＰＵＳＣＨをスケジューリングするアップリンクグラントを受信せず、ＡＮＰｉｇｇｙｂａｃｋＣｏｎｆｉｇｕｒａｔｉｏｎ＝０であるとき、ユーザ装置は、アップリンクＰＣＣのＰＵＣＣＨでＡ／Ｎを伝送する。
【０１０９】
リリース８（Ｒｅｌ−８）ＬＴＥシステムで、ＣＱＩ／ＰＭＩ／ＲＩは、２個の場合のＰＵＳＣＨ上でピギーバックされる。（ケース１で示される）１つの場合において、ユーザ装置がサブフレームｎ−４でＣＱＩレポートを要請する（またはＣＱＩ  ｒｅｑｕｅｓｔ＝１）アップリンクグラントを受信すれば、サブフレームｎのスケジューリングされたＰＵＳＣＨでＣＱＩ／ＰＭＩ／ＲＩを伝送する。（ケース２で示される）他の場合において、ユーザ装置がＲＲＣシグナリングによってサブフレームｎで周期的なＣＱＩ／ＰＭＩ／ＲＩレポートを伝送するようにスケジューリングされるとき、ユーザ装置は、サブフレームｎ−ｋでＣＱＩレポートを要請しない（またはＣＱＩ  ｒｅｑｕｅｓｔ＝０）アップリンクグラントを受信すれば、ユーザ装置は、サブフレームｎのスケジューリングされたＰＵＳＣＨ上でＣＱＩ／ＰＭＩ／ＲＩをピギーバックする。
【０１１０】
ケース１において、ユーザ装置は、キャリア結合システムでＣＱＩレポートを要請するアップリンクグラントを受信する。キャリア結合システムにおいて、サブフレームでアップリンク伝送をスケジューリングするアップリンクグラントの数は、多数個になることができる。ケース１の２個のサブケースは、次の通りである：（１）ケース１−１：ユーザ装置は、ＣＱＩレポートを要請する単一のアップリンクグラントを受信する。そして（２）ケース１−２：ユーザ装置は、ＣＱＩレポートを要請する１つ以上のアップリンクグラントを受信する。
【０１１１】
一実施形態において、ユーザ装置は、サブフレームｎ−ｋでダウンリンクＣＣ上にＣＱＩレポートを要請するアップリンクＣＣでＰＵＳＣＨをスケジューリングする少なくとも１つのアップリンクグラントを受信する（ここで、ＦＤＤシステムの場合、ｋ＝４）。ここで、ＣＱＩレポートを要請する各アップリンクグラントは、多数のダウンリンクＣＣ上でＣＱＩレポートを要請する。一実施形態において、ＣＱＩレポートを要請するアップリンクグラントは、ダウンリンクＣＣ  ｉで伝送され、ダウンリンクＣＣ  ｉ上でＣＱＩレポートを要請する。他の実施形態において、ＣＱＩレポートを要請するアップリンクグラントは、ダウンリンクＣＣ  ｉで伝送され、ユーザ装置に対してすべての活性化されたダウンリンクＣＣ上でＣＱＩレポートを要請する。他の実施形態において、ＣＱＩレポートを要請するアップリンクグラントは、ダウンリンクＣＣ  ｉで伝送され、ユーザ装置に対してすべての構成されたダウンリンクＣＣ上でＣＱＩレポートを要請する。
【０１１２】
（方法１で示される）サブフレームｎでアップリンクデータ伝送及びＣＱＩ／ＰＭＩ／ＲＩ伝送を多重化する１つの方法において、ユーザ装置がサブフレームｎ−ｋで少なくとも１つのアップリンクグラントを受信した後、ユーザ装置がもし、存在したら、ＣＱＩ報告を要請しない、他のアップリンクグラントによってスケジューリングされるＰＵＳＣＨでただアップリンクデータを伝送する間に、ユーザ装置は、少なくとも１つのアップリンクグラントによってスケジューリングされるＰＵＳＣＨ各々のサブフレームｎでＣＱＩレポートを伝送する。アップリンクＣＣでＰＵＳＣＨをスケジューリングするアップリンクグラントが多数のダウンリンクＣＣ上でＣＱＩ報告を要請し、ユーザ装置に対して臨界値、例えば、４より大きいアップリンク多数対の物理リソースブロック（ＰＲＢ）をスケジューリングするとき、ユーザ装置は、米国特許仮出願第６１／２０６、４５５号、米国特許出願第１２／６４１、９５１号で提案された方法によってアップリンクＣＣのＰＵＳＣＨの多数のダウンリンクＣＣでＣＱＩ／ＰＭＩ／ＲＩをピギーバックする。そうでなければ、ユーザ装置は、リリース８ＬＴＥで行われるところの同様に、アップリンクデータなしにＰＵＳＣＨでただＣＱＩ／ＰＭＩ／ＲＩを伝送する。
【０１１３】
（方法１−１で示される）サブフレームｎでアップリンクデータ伝送及びＣＱＩ／ＰＭＩ／ＲＩを多重化する方法において、ユーザ装置は、結合されたＣＣ、ＣＣ１、ＣＣ２及びＣＣ３の最大３個のダウンリンク−アップリンク対を受信／伝送するように構成される。そして、ユーザ装置は、ただＣＣ１でＣＱＩ  ｒｅｑｕｅｓｔ＝１を有するアップリンクグラントを受信するように構成される。特定の実施形態において、ＣＱＩ／ＰＭＩ及びＲＩの両方は、ＣＣ１、すなわち、ＣＱＩレポートを有するＰＵＳＣＨを伝送するＣＣで伝送されるＰＵＳＣＨ上でピギーバックされる。しかし、他の実施形態において、ただＣＱＩ／ＰＭＩまたはただＲＩだけがＣＱＩレポートを有するＰＵＳＣＨを伝達するＣＣで伝送されるＰＵＳＣＨ上でピギーバックされる。
【０１１４】
方法１−１の他の実施形態において、ユーザ装置は、結合されたＣＣ、ＣＣ１、ＣＣ２及びＣＣ３の最大３個のダウンリンク−アップリンク対を受信／伝送するように構成される。そして、ユーザ装置は、ただＣＣ１及びＣＣ２でＣＱＩ  ｒｅｑｕｅｓｔ＝１を有するアップリンクグラントを受信するように構成される。特定の実施形態において、ＣＱＩ／ＰＭＩ及びＲＩの両方は、ＣＣ１及びＣＣ２各々で、すなわち、ＣＱＩレポートを有するＰＵＳＣＨを伝送するＣＣ各々で伝送されるＰＵＳＣＨ上でピギーバックされる。しかし、他の実施形態において、ただＣＱＩ／ＰＭＩまたはただＲＩだけがＣＱＩレポートを有するＰＵＳＣＨを伝達するＣＣで伝送されるＰＵＳＣＨ上でピギーバックされる。
【０１１５】
（方法１−２で示される）サブフレームｎでアップリンクデータ伝送及びＣＱＩ／ＰＭＩ／ＲＩ伝送を多重化する１つの方法において、ユーザ装置がサブフレームｎ−ｋで少なくとも１つのアップリンクグラントを受信した後、ユーザ装置は、ユーザ装置のためのサブフレームｎでＰＵＳＣＨをスケジューリングするすべてのアップリンクグラントによってスケジューリングされるＰＵＳＣＨ各々のサブフレームｎでＣＱＩレポートを伝送する。ただ１つのＣＱＩレポートが要請されるとき、１つのＣＱＩレポートのための情報ビットは、独立的にエンコードされる。そして、コーディングされたビットは、個別にすべてのアップリンクＣＣにマッピングされる。１つ以上のＣＱＩ報告が要請されるとき、すべてのＣＱＩレポートのための情報ビットは、１つのセットの情報ビットで連結される。１つのセットの情報ビットは、独立的にエンコードされる。そして、コーディングされたビットは、個別にすべてのアップリンクＣＣにマッピングされる。
【０１１６】
方法１−２の他の実施形態において、ユーザ装置は、結合されたＣＣ、ＣＣ１、ＣＣ２及びＣＣ３の最大３個のダウンリンク−アップリンク対を受信／伝送するように構成される。そして、ユーザ装置は、ただＣＣ１でＣＱＩ  ｒｅｑｕｅｓｔ＝１を有するアップリンクグラントを受信するように構成される。特定の実施形態において、ＣＱＩ／ＰＭＩ及びＲＩの両方は、ＣＣ１、ＣＣ２及びＣＣ３、すなわち、ＰＵＳＣＨを伝送するＣＣで伝送されるＰＵＳＣＨ上でピギーバックされる。しかし、他の実施形態において、ただＣＱＩ／ＰＭＩまたはただＲＩだけがＰＵＳＣＨを伝達するＣＣで伝送されるＰＵＳＣＨ上でピギーバックされる。
【０１１７】
この実施形態において、ユーザ装置は、サブフレームｎで周期的にレポートＣＱＩ／ＰＭＩ／ＲＩを伝送するようにスケジューリングされる。これは、ＲＲＣシグナリングによって構成される。追加に、ユーザ装置は、同一のサブフレームｎの少なくとも１つのアップリンクＣＣでＰＵＳＣＨを伝送するようにスケジューリングされる。
【０１１８】
（方法２−１で示される）サブフレームｎでアップリンクデータ伝送及びＣＱＩ／ＰＭＩ／ＲＩを多重化する１つの方法において、ユーザ装置は、ＣＣ選択規則に従って、ユーザ装置がサブフレームｎでＰＵＳＣＨを伝送するようにスケジューリングされる、少なくとも１つのアップリンクＣＣのうち１つでＣＱＩ／ＰＭＩ／ＲＩをピギーバックする。ＣＣ選択規則の一部の実施形態は、次の通りである。
【０１１９】
（ＣＣ選択規則１−１）サブフレームｎでＰＵＳＣＨでスケジューリングされたアップリンクＣＣのうち最上のＭＣＳを有するＰＵＳＣＨでスケジューリングされたアップリンクＣＣが選択される。
【０１２０】
（ＣＣ選択規則１−２）サブフレームｎでＰＵＳＣＨでスケジューリングされたアップリンクＣＣのうち最も低いＣＣ−ＩＤを有するＰＵＳＣＨでスケジューリングされたアップリンクＣＣが選択される。
【０１２１】
（ＣＣ選択規則１−３）サブフレームｎでＰＵＳＣＨでスケジューリングされたアップリンクＣＣのうち最も低いキャリア周波数を有するＰＵＳＣＨでスケジューリングされたアップリンクＣＣが選択される。
【０１２２】
方法２−１の一実施形態において、ユーザ装置は、結合されたＣＣ、ＣＣ１、ＣＣ２及びＣＣ３の最大３個のダウンリンク−アップリンク対を受信／伝送するように構成される。そして、ユーザ装置は、ＣＣ１、ＣＣ２及びＣＣ３から３個のアップリンクグラントを受信するように構成される。特定の実施形態において、ＣＱＩ／ＰＭＩ及びＲＩの両方は、ＣＣ１で伝送されるＰＵＳＣＨ上でピギーバックされる。このようなＣＣ１は、規則に従ってＰＵＳＣＨ上でピギーバックされるＣＱＩ／ＰＭＩ／ＲＩを伝達する選択されたＣＣである。しかし、他の実施形態において、ただＣＱＩ／ＰＭＩまたはただＲＩだけが選択されたＣＣで伝送されるＰＵＳＣＨ上でピギーバックされる。
【０１２３】
（方法２−２で示される）サブフレームｎでアップリンクデータ伝送及びＣＱＩ／ＰＭＩ／ＲＩ伝送を多重化する他の方法において、ユーザ装置は、規則によってサブフレームｎでＣＱＩ／ＰＭＩ／ＲＩの伝送スキームを選択する。この規則は、ユーザ装置がアップリンクＰＣＣでＰＵＳＣＨをスケジューリングするアップリンクグラントを受信するか否かによる。１つの例示的な規則は、ユーザ装置がサブフレームｎのアップリンクＰＣＣのＰＵＳＣＨをスケジューリングするアップリンクグラントを受信するか否かによって、ユーザ装置がアップリンクＰＣＣのＰＵＳＣＨでＣＱＩ／ＰＭＩ／ＲＩをピギーバックする。そうでなければ、ユーザ装置は、ＰＣＣのＰＵＣＣＨでＣＱＩ／ＰＭＩ／ＲＩを伝送する。
【０１２４】
この例示的な規則において、ＣＱＩ／ＰＭＩ／ＲＩは、ＳＣＣ（ｓｅｃｏｎｄａｒｙ  ｃｏｍｐｏｎｅｎｔ  ｃａｒｒｉｅｒ）で絶対に伝送されない。
【０１２５】
方法２−２の実施形態において、ユーザ装置は、結合されたＣＣ、ＣＣ１及びＣＣ２の最大２個のダウンリンク−アップリンク対を受信／伝送するように構成される。アップリンクＰＣＣのＰＵＳＣＨをスケジューリングするアップリンクグラントを受信するとき、ＣＱＩ／ＰＭＩ／ＲＩがピギーバックされる。そうでなければ、ＣＱＩ／ＰＭＩ／ＲＩは、ＰＣＣのＰＵＣＣＨで伝送される。個別実施形態において、ＣＱＩ／ＰＭＩ及びＲＩの両方は、ＣＣ１のＰＵＳＣＨ上でピギーバックされるか、または、ＣＣ１のＰＵＣＣＨで伝送される。しかし、他の実施形態において、ただＣＱＩ／ＰＭＩまたはただＲＩは、ＣＣ１のＰＵＳＣＨ上でピギーバックされるとか、またはＣＣ１のＰＵＣＣＨで伝送される。さらに、特定の実施形態において、Ａ／Ｎは、ＣＱＩ／ＰＭＩ／ＲＩが伝送される方法と同一の方法で伝送されると仮定する。すなわち、アップリンクＰＣＣでＰＵＳＣＨをスケジューリングするアップリンクグラントが存在すれば、Ａ／Ｎは、アップリンクＰＣＣで伝送されるＰＵＳＣＨでピギーバックされる。そうでなければ、Ａ／Ｎは、アップリンクＰＣＣのＰＵＣＣＨで伝送される。しかし、この技術分野において通常の知識を有する者のうち誰でも他のＡ／Ｎ多重化スキームがＡ／Ｎ多重化のために使用されることができることを認知することができる。
【０１２６】
１つまたは２個のＡ／Ｎビット及びＣＱＩ／ＰＭＩ／ＲＩがアップリンクＰＣＣのＰＵＣＣＨで多重化されるとき、ＰＵＣＣＨフォーマット２ｂがリリース８ＬＴＥ方法によってＣＱＩ／ＰＭＩ／ＲＩ及びＡ／Ｎの多重化のために使用される。他の側面で、伝送される多数のＡ／Ｎビットが３個または４個であるとき、さらにＰＵＣＣＨフォーマット２ｂ構造が、ＣＱＩ／ＰＭＩ／ＲＩとＡ／Ｎ多重化のために使用される。これは、サブフレームの各スロットでＣＱＩ／ＰＭＩ／ＲＩのための５個のＳＣ−ＦＤＭシンボル及びＡ／Ｎのための２個のＳＣ−ＦＤＭシンボルを有する。しかし、各スロットは、（ＰＵＣＣＨフォーマット２ｃによって示される）２個のＡ／Ｎビットを伝達する１つのＱＰＳＫシンボルを伝達する。：２個のＡ／Ｎビットは、ＱＰＳＫ変調され、そしてＱＰＳＫシンボルは、サブフレームｎの一番目のスロットで二番目のＤＭ  ＲＳ  ＳＣ−ＦＤＭシンボルで伝送されるＤＭ  ＲＳシーケンスに乗算される。他の２個のＡ／Ｎビットは、ＱＰＳＫ変調され、そして、ＱＰＳＫシンボルは、サブフレームｎの二番目のスロットで二番目のＤＭ  ＲＳ  ＳＣ−ＦＤＭシンボルで伝送されるＤＭ  ＲＳシーケンスに乗算される。
【０１２７】
（方法２−３で示される）サブフレームｎでアップリンクデータ伝送及びＣＱＩ／ＰＭＩ／ＲＩ伝送を多重化する他の方法において、ユーザ装置は、少なくとも１つのアップリンクＣＣ全体でＣＱＩ／ＰＭＩ／ＲＩをピギーバックする。このＣＣは、ユーザ装置がサブフレームｎでＰＵＳＣＨを伝送するようにスケジューリングされる。
【０１２８】
方法２−３の実施形態において、ユーザ装置は、結合されたＣＣ、ＣＣ１、ＣＣ２及びＣＣ３の最大３個のダウンリンク−アップリンク対を受信／伝送するように構成される。そして、ユーザ装置は、ＣＣ１、ＣＣ２及びＣＣ３から３個のアップリンクグラントを受信するように構成される。特定の実施形態において、ＣＱＩ／ＰＭＩ及びＲＩの両方は、ＣＣ１、ＣＣ２及びＣＣ３で伝送されるＰＵＳＣＨ上でピギーバックされる。このようなすべてのＣＣは、ＣＱＩ／ＰＭＩ／ＲＩをピギーバックしながらＰＵＳＣＨを伝達する。しかし、他の実施形態において、ただＣＱＩ／ＰＭＩまたはただＲＩだけがこのようなＣＣ各々で伝送されるＰＵＳＣＨ上でピギーバックされる。
【０１２９】
本発明の実施形態において、ユーザ装置は、サブフレームでスケジューリングされるＰＵＳＣＨの間で最大スペクトル効率（ｈｉｇｈｅｓｔ  ｓｐｅｃｔｒａｌ  ｅｆｆｉｃｉｅｎｃｙ）を有するデータを伝達するＰＵＳＣＨを選択する。そして、ユーザ装置は、ただ選択されたＰＵＳＣＨでＵＣＩ（ＣＱＩ／ＰＭＩ／ＲＩ／ＨＡＲＱ−ＡＣＫ）をピギーバックする。特定の実施形態において、最大スペクトル効率を有するＰＵＳＣＨを決定するために、ユーザ装置は、まず、サブフレームでＰＵＳＣＨをスケジューリングするアップリンクグラントを読み取り、伝送ランク、変調フォーマット、そしてスケジューリングされたＰＵＳＣＨの伝送ブロック（ＴＢ）サイズを決定する。伝送ランクは、ユーザ装置によってサブフレームで伝送される多数のストリーム（またはＤＭＲＳアンテナポート、または、階層）を示す。その後、ユーザ装置は、規則上の少なくとも一部に基づいて最大スペクトル効率を有するＰＵＳＣＨを決定する。
【０１３０】
１つの例示的な規則において、ユーザ装置は、サブフレームですべてのスケジューリングされたＰＵＳＣＨのうち上位ランクを有するＰＵＳＣＨを選択する。
【０１３１】
同一の最上位ランクを有する多重のＰＵＳＣＨが存在するとき、均衡を壊す（ｔｉｅ−ｂｒｅａｋｉｎｇ）規則が使用される。一部の例示的な均衡を壊す規則は、次の通りである。
【０１３２】
−ユーザ装置は、最上位ランクを有するすべてのＰＵＳＣＨのうち最も小さいＣＣ  ＩＤを有するＣＣで伝送されるＰＵＳＣＨを選択する。
【０１３３】
−ユーザ装置は、最上位ランクを有するすべてのＰＵＳＣＨのうち最も小さいキャリア周波数を有するＣＣで伝送されるＰＵＳＣＨを選択する。
【０１３４】
−ユーザ装置は、ＰＣＣがサブフレームでアップリンクグラントを有する場合、ＰＣＣで伝送されるＰＵＳＣＨを選択する。
【０１３５】
−ユーザ装置は、最上位ランクを有するすべてのＰＵＳＣＨのうち、ＰＲＢ（ｐｈｙｓｉｃａｌ  ｒｅｓｏｕｒｃｅ  ｂｌｏｃｋ）当たり最大数の情報ビットを伝達するＰＵＳＣＨを選択する。特定の実施形態において、ＰＵＳＣＨで伝送されるＰＲＢ当たり情報ビットの数は、ＰＲＢ（ｐｈｙｓｉｃａｌｒｅ  ｓｏｕｒｃｅ  ｂｌｏｃｋ）の数によって分割される最大２個のＴＢで対応する最大２個のＴＢサイズの和である。 言い換えれば、ＰＵＳＣＨｉで伝達するＰＲＢ当たり情報ビットの数は、次の数式９に示されるように算出される。
(# of info bits per PRB)i = ((TB_Size1)i + (TB_Size2)i)/(# of PRBs)i 
・・・（数式９）
【０１３６】
そして、ユーザ装置は、最上位ランクを有するすべてのＰＵＳＣＨのうち、ＰＲＢ当たり情報ビットの最大数を有するコードワード（ＣＷ）を伝達するＰＵＳＣＨを選択する。特定の実施形態において、ＰＵＳＣＨで伝達するＰＲＢ当たりＣＷで情報ビットの数は、ＰＲＢの数によって分割される、ＣＷに対応する伝送ブロック（ＴＢ）サイズである。言い換えれば、ＰＵＳＣＨｉで伝達するＰＲＢ当たりＣＷ  ｑで情報ビットの数は、次に示されたような数式１０のように算出される。
(# of info bits per PRB)qi = (TB_Size) qi/(# of PRBs) qi 
・・・（数式１０）
【０１３７】
他の例示的な規則において、ユーザ装置は、サブフレームのすべてのスケジューリングされたＰＵＳＣＨのうち、ＰＲＢ当たり情報ビットの最大数を伝達するＰＵＳＣＨを選択する。特定の実施形態において、ＰＵＳＣＨで伝達するＰＲＢ当たりＣＷで情報ビットの数は、ＰＲＢの数によって分割される、２個のＴＢに対応する２個のＴＢサイズの和である。言い換えれば、ＰＵＳＣＨ  ｉで伝達されるＰＲＢ当たり情報ビットの数は、次に示されたような数式１１のように算出される。
(# of info bits per PRB)i = ((TB_Size1)i + (TB_Size2)i)/(# of PRBs)i 
・・・（数式１１）
【０１３８】
他の例示的な規則において、ユーザ装置は、サブフレームで伝送されるすべてのＣＷ（またはＴＢ）うち、ＣＷを伝達するＰＵＳＣＨ及び最上の初期ＭＣＳを有するＣＷ（またはＴＢ）を選択する。
【０１３９】
ＰＵＳＣＨがＵＣＩ多重化のために選択されるとき、ＣＱＩ／ＰＭＩ及びＨＡＲＱ−ＡＣＫ／ＲＩは、方法によって、ＰＵＳＣＨでアップリンク同期チャネル（ＵＬ−ＳＣＨ）で多重化される。
【０１４０】
１つの例示的な方法において、ＣＱＩ／ＰＭＩは、高い初期−伝送ＭＣＳ(higher initial-transmission MCS)を有するＰＵＳＣＨのＣＷで伝送される。そして、ＨＡＲＱ−ＡＣＫ／ＲＩは、ＰＵＳＣＨのすべてのＣＷで伝達される。
【０１４１】
他の例示的な方法において、ＣＱＩ／ＰＭＩは、ＰＵＳＣＨの固定されたＣＷ（例えば、第１ＣＷ、またはＣＷ  ０）で伝達される。そして、ＨＡＲＱ−ＡＣＫ／ＲＩは、ＰＵＳＣＨのすべてのＣＷで伝達される。
【０１４２】
１つの例示的な規則において、ユーザ装置は、サブフレームですべてのスケジューリングされたＰＵＳＣＨのうち、最上位ランクを有するＰＵＳＣＨを選択する。これは、下記の数式１２によって説明されることができる。ここで、ｋ＊は、ＵＣＩを伝送するためのＰＵＳＣＨのインデックスである。
【０１４３】
【数１４】
0005934399.tif 000015
【０１４４】
ここで、ｒ（ｋ）は、ＰＵＳＣＨ  ｋの伝送ランク（または多数の伝送階層）である。
【０１４５】
均衡を壊す（ｔｉｅ−ｂｒｅａｋｉｎｇ）規則の他の例は、次の通りである。
【０１４６】
−ユーザ装置は、サブフレームですべてのスケジューリングされたＰＵＳＣＨのうち、すべての伝送階層でリソース要素（ＲＥ）当たり情報ビットの最大数を伝達するＰＵＳＣＨを選択する。特定の実施形態において、ＰＵＳＣＨで伝達されるすべての伝送階層でＲＥ当たり情報ビットの数は、各伝送階層でＲＥの全体数によって分割される、２個のＴＢに対応する２個のＴＢサイズの和である。言い換えれば、ＰＵＳＣＨ  ｋで伝達されるすべての伝送階層でＲＥ当たり情報ビットの数は、次の数式１３に示されるように算出される：
【０１４７】
【数１５】
0005934399.tif 000016
【０１４８】
【数１６】
0005934399.tif 000017
【０１４９】
−ユーザ装置は、最上位ランクを有するすべてのＰＵＳＣＨのうち、ＣＷに対応するすべての伝送階層でＲＥ当たり情報ビットの最大数を有するＣＷを伝達するＰＵＳＣＨを選択する。特定の実施形態において、ＣＷに対応するすべての伝送階層でＲＥ当たりＣＷで情報ビットの数は、各伝送階層で全体ＲＥの数によって分割される、ＣＷに対応するＴＢのサイズである。言い換えれば、ＰＵＳＣＨ  ｋで伝達されるＲＥ当たりＣＷ  ｑで情報ビットの数は、次の数式１４に示されるように算出される：
【０１５０】
【数１７】
0005934399.tif 000018
【０１５１】
他の例示的な規則において、ユーザ装置は、サブフレームですべてのスケジューリングされたＰＵＳＣＨのうち、すべての伝送階層でＲＥ当たり情報ビットの最大数を伝達するＰＵＳＣＨを選択する。これは、下記の数式１５によって説明されることができる。ここで、ｋ＊は、ＵＣＩを伝達するためのＰＵＳＣＨのインデックスである。
【０１５２】
【数１８】
0005934399.tif 000019
【０１５３】
ここで、ＳＥ（ｋ）は、ＰＵＳＣＨ  ｋのすべての伝送階層でＲＥ当たり情報ビットの数である。
【０１５４】
特定の実施形態において、ＰＵＳＣＨで伝達されるすべての伝送階層でＲＥ当たり情報ビットの数は、各伝送階層のＲＥの数によって分割される、２個のＴＢに対応する最大２個のＴＢサイズの和である。言い換えれば、ＰＵＳＣＨ  ｋで伝達されるすべての伝送階層でＲＥ当たり情報ビットの数は、下記の数式１６に示されるように算出される：
【０１５５】
【数１９】
0005934399.tif 000020
【０１５６】
【数２０】
0005934399.tif 000021
【０１５７】
他の例示的な規則において、ユーザ装置は、サブフレームですべてのスケジューリングされたＰＵＳＣＨのうち、すべての伝送階層にかけて均等になる、ＲＥ当たり情報ビットの最大平均数を伝達するＰＵＳＣＨを選択する。特定の実施形態において、これは、次の数式１７によって説明されることができる。ここで、ｋ＊は、ＵＣＩを伝達するためのＰＵＳＣＨのインデックスである。
【０１５８】
【数２１】
0005934399.tif 000022
【０１５９】
ここで、ＳＥ’(ｋ)は、ＰＵＳＣＨ  ｋのＲＥ当たり情報ビットの平均数である。
【０１６０】
特定の実施形態において、ＰＵＳＣＨで伝達されるＲＥ当たり情報ビットの平均数は、すべての伝送階層のＲＥの全体数によって分割される、２個のＴＢに対応する最大２個のＴＢサイズの和である。言い換えれば、ＰＵＳＣＨ  ｋで伝達されるＲＥ当たり情報ビットの平均数は、次の数式１８に示されるように算出される。
【０１６１】
【数２２】
0005934399.tif 000023
【０１６２】
【数２３】
0005934399.tif 000024
【０１６３】
他の例示的な規則において、ユーザ装置は、平均ＭＣＳが最大であるＰＵＳＣＨを選択する。特定の実施形態において、これは、次の数式１９によって説明されることができる。ここで、ｋ＊は、ＵＣＩを伝送するためのＰＵＳＣＨのインデックスである。
【０１６４】
【数２４】
0005934399.tif 000025
【０１６５】
ここで、ＭＣＳａｖｇ（ｋ）は、ＰＵＳＣＨ  ｋで伝達される最大２個のＴＢに対応する最大２個の初期ＭＳＣの平均を取ったものによって得ることができる。
【０１６６】
他の例示的な規則において、ユーザ装置は、ＭＣＳの和(sum MCS)が最大であるＰＵＳＣＨを選択する。特定の実施形態において、これは、次の数式２０によって説明されることができる。ここで、ｋ＊は、ＵＣＩを伝達するためのＰＵＳＣＨのインデックスである。
【０１６７】
【数２５】
0005934399.tif 000026
【０１６８】
ここで、ＭＣＳｓｕｍ（ｋ）は、ＰＵＳＣＨ  ｋで伝達される最大２個のＴＢに対応する最大２個の初期ＭＣＳの和を取って得ることができる。
【０１６９】
他の例示的な規則において、ユーザ装置は、最上位ランクを有するすべてのＰＵＳＣＨのうち、ＣＷに対応するすべての伝送階層でＲＥ当たり情報ビットの最大数を有するＣＷを伝達するＰＵＳＣＨを選択する。特定の実施形態において、これは、次の数式２１によって説明されることができる。ここで、ｋ＊は、ＵＣＩを伝達するＰＵＳＣＨのインデックスである。
【０１７０】
【数２６】
0005934399.tif 000027
【０１７１】
ここで、ＳＥ（ｋ，ｑ）は、ＰＵＳＣＨ  ｋのＣＷに対応するすべての伝送階層でＲＥ当たり情報ビットの数である。
【０１７２】
特定の実施形態において、ＣＷに対応するすべての伝送階層でＲＥ当たりＣＷで情報ビットの数は、各伝送階層でＲＥの全体数によって分割される、ＣＷに対応するＴＢサイズである。言い換えれば、ＰＵＳＣＨ  ｋで伝達されるＰＲＢ当たりＣＷ  ｑで情報ビットの数は、次の数式２２に示されるように算出される。
【０１７３】
【数２７】
0005934399.tif 000028
【０１７４】
他の例示的な規則において、ユーザ装置は、すべての伝送階層にかけて足す上げされるＲＥ当たり情報ビットの最大数を伝達するＰＵＳＣＨを選択する。特定の実施形態において、すべての伝送階層にかけて足し上げされるＲＥ当たりビットの数は、次のように算出される：
【０１７５】
オプション１：（全体階層にかけて足し上げされるＲＥ当たり情報ビットの数）ｉ＝（ＮＬ１ＳＥ１＋ＮＬ２ＳＥ２）ｉ
【０１７６】
ここで、ＮＬ１及びＮＬ２は、各々、ＣＷ０（またはＴＢ１）及びＣＷ１（またはＴＢ２）に対応する階層の数、そして
【０１７７】
ＳＥ１及びＳＥ２は、ＴＢ１及びＴＢ２のための初期ＭＣＳにかけて算出される階層当たりスペクトル効率である。例えば、ＳＥ１は、次の数式２３によって示されるように算出される。
【０１７８】
【数２８】
0005934399.tif 000029
【０１７９】
【数２９】
0005934399.tif 000030
【０１８０】
オプション２：（すべてのＣＷにかけて足し上げされるＲＥ当たり情報ビットの数）ｉ＝（ＳＥ１＋ＳＥ２）ｉ
【０１８１】
ここで、ＳＥ１及びＳＥ２は、ＴＢ１及びＴＢ２のための初期ＭＣＳにかけて算出される階層当たりスペクトル効率である。例えば、ＳＥ１は、次の数式２４によって示されるように算出される。
【０１８２】
【数３０】
0005934399.tif 000031
【０１８３】
【数３１】
0005934399.tif 000032
【０１８４】
オプション２は、ＣＷ１及びＣＷ２が常に、合意されたＬＴＥ−ＡアップリンクＭＩＭＯコードブック(agreed LTE-A UL MIMO codebook)下で同一の伝送パワーを使用するという観察から動機付けされた。
【０１８５】
他の例示的な規則において、ユーザ装置は、サブフレームで伝送されるすべてのＣＷ（またはＴＢ）うち、ＣＷを伝達するＰＵＳＣＨ及び最上位初期ＭＣＳを有するＣＷ（またはＴＢ）を選択する。
【０１８６】
ＰＵＳＣＨがＵＣＩ多重化を選択するとき、ＣＱＩ／ＰＭＩ及びＨＡＲＱ−ＡＣＫ／ＲＩは、方法によって、ＰＵＳＣＨでＵＬ−ＳＣＨで多重化される。
【０１８７】
１つの例示的な方法において、ＣＱＩ／ＰＭＩは、上位初期伝送ＭＣＳ(higher initial-transmission MCS)を有するＰＵＳＣＨのＣＷで伝達される。ＨＡＲＱ−ＡＣＫ／ＲＩは、ＰＵＳＣＨのすべてのＣＷで伝達される。
【０１８８】
他の例示的な方法において、ＣＱＩ／ＰＭＩは、ＰＵＳＣＨの固定されたＣＷ（例えば、第１ＣＷ、またはＣＷ０）で伝達される。ＨＡＲＱ−ＡＣＫ／ＲＩは、ＰＵＳＣＨですべてのＣＷで伝達される。
【０１８９】
本発明の一実施形態において、ユーザ装置は、ＨＡＲＱ−ＡＣＫ（または、代案的に、ＲＩ）のために最小数のＲＥを使用することができるＰＵＳＣＨを選択する。そして、ユーザ装置は、ただ選択されたＰＵＳＣＨでＵＣＩ（ＣＱＩ／ＰＭＩ／ＲＩ／ＨＡＲＱ−ＡＣＫ）をピギーバックする。個別実施形態は、次の数式２５によって説明されることができる。ここで、ｋ＊は、ＵＣＩを伝達するためのＰＵＳＣＨのインデックスである。
【０１９０】
【数３２】
0005934399.tif 000033
【０１９１】
ここで、Ｑ’（ｋ）は、ＨＡＲＱ−ＡＣＫ（または、代案としてＲＩ）のために使用されることができるＲＥの数である。ＰＵＳＣＨの場合に、ｋ＊は、ＵＣＩ伝送のために選択される。各スケジューリングされたＰＵＳＣＨに対してＱ’（ｋ）を算出するにあたって、ユーザ装置は、共通ＵＣＩペイロード（ｃｏｍｍｏｎ  ＵＣＩ  ｐａｙｌｏａｄ）及び共通ＵＣＩ形式（ｃｏｍｍｏｎ  ＵＣＩ  ｔｙｐｅ）を仮定する。一実施形態において、ユーザ装置は、算出のための１ビットＨＡＲＱ−ＡＣＫを仮定する。他の実施形態において、ユーザ装置は、Ｏ−ビットＨＡＲＱ−ＡＣＫを仮定する。ここで、Ｏは、サブフレームで伝送されるＨＡＲＱ−ＡＣＫビットの数である。
【０１９２】
特定の実施形態において、ＰＵＳＣＨ  ｋが対応するアップリンクグラントによってＳＩＭＯ伝送を行うように命令されるとき、Ｏ−ビットＨＡＲＱ−ＡＣＫを伝達するＲＥの数は、次の数式２６に示されるように算出される。
【０１９３】
【数３３】
0005934399.tif 000034
【０１９４】
【数３４】
0005934399.tif 000035
【０１９５】
【数３５】
0005934399.tif 000036
【０１９６】
ＰＵＳＣＨ  ｋが対応するアップリンクグラントによってＭＩＭＯ伝送（または、２−ＴＢまたは２−ＣＷ伝送）を行うように命令されるとき、Ｏ−ビットＨＡＲＱ−ＡＣＫまたはＲＩを伝達するＲＥの数は、方法によって算出される。いくつかの例示的な方法が次に羅列される。
【０１９７】
方法１：ＲＥの数、Ｑ’（ｋ）は、すべての伝送階層にかけてすべてのＨＡＲＱ−ＡＣＫまたはＲＩ  ＲＥを足し上げすることによって算出される、Ｏ−ビットＨＡＲＱ−ＡＣＫまたはＲＩのために使用されるＲＥの全体数である。Ｑ’layer（ｋ）が１つの階層でＨＡＲＱ−ＡＣＫのために使用されるＲＥの数と仮定すれば、ＲＥの全体数、Ｑ’（ｋ）は、Ｑ’（ｋ）＝ＮＬ（ｋ）Ｑ’layer（ｋ）になる。一部の例示的なオプションが以下に羅列される。
【０１９８】
オプション１−１は、下記の数式２７に示される通りである。
【０１９９】
【数３６】
0005934399.tif 000037
【０２００】
【数３７】
0005934399.tif 000038
【０２０１】
【数３８】
0005934399.tif 000039
【０２０２】
オプション１−２は、下記の数式２８に示される通りである。
【０２０３】
【数３９】
0005934399.tif 000040
【０２０４】
【数４０】
0005934399.tif 000041
【０２０５】
オプション１−３は、下記の数式２９に示される通りである。
【０２０６】
【数４１】
0005934399.tif 000042
【０２０７】
【数４２】
0005934399.tif 000043
【０２０８】
方法２：ＲＥの数、Ｑ’（ｋ）は、各伝送階層でＯ−ｂｉｔ  ＨＡＲＱ−ＡＣＫまたはＲＩのために使用されるＲＥの数である。この方法は、各階層で全体パワーで伝送されるＨＡＲＱ−ＡＣＫ  ＲＥの全体番号が各階層で同一なので案出（ｍｏｔｉｖａｔｅｄ）された。Ｑ’layer（ｋ）が１つの階層でＨＡＲＱ−ＡＣＫのために使用されるＲＥの数と仮定すれば、ＲＥの全体数、Ｑ’（ｋ）は、Ｑ’（ｋ）＝Ｑ’layer（ｋ）になる。
【０２０９】
オプション２−１は、下記の数式３０に示される通りである。
【０２１０】
【数４３】
0005934399.tif 000044
【０２１１】
オプション２−２は、下記の数式３１に示される通りである：
【０２１２】
【数４４】
0005934399.tif 000045
【０２１３】
オプション２−３は、下記の数式３２に示される通りである：
【０２１４】
【数４５】
0005934399.tif 000046
【０２１５】
【数４６】
0005934399.tif 000047
【０２１６】
方法２によって算出されたＱ’（ｋ）は、方法１によって算出されたＮＬ（ｋ）の１／Ｑ’（ｋ）であることを留意しなければならない。
【０２１７】
非周期的ＣＱＩレポートがユーザ装置のためのサブフレームに対して要請されるとき、ユーザ装置は、アップリンクグラントによってスケジューリングされたＰＵＳＣＨでＣＱＩ／ＰＭＩ／ＲＩを伝送する。周期的なＣＱＩレポートが同一のサブフレームでスケジューリングされるとき、周期的なＣＱＩレポートは、余剰の情報を有することができる。したがって、ユーザ装置が周期的なＣＱＩレポートを中断（ｄｒｏｐ）させ、非周期的なＣＱＩレポートだけを伝送することが提案された。他の側面で、Ａ／Ｎフィードバックが同一のサブフレームでスケジューリングされるとき、Ａ／ＮがＨＡＲＱプロセスのために使用される重要な情報を伝達するので、Ａ／Ｎを中断することは要求されない。Ａ／Ｎを伝送する２個のオプションが考慮され得る：（オプション１）Ａ／Ｎは、ＰＵＳＣＨでピギーバックされる。または、（オプション２）Ａ／Ｎは、アップリンクＰＣＣのＰＵＣＣＨで伝送される。オプション２が使用されるとき、ＰＡＰＲ（ｐｅａｋ−ｔｏ−ａｖｅｒａｇｅ  ｐｏｗｅｒ  ｒａｔｉｏ）が増加される、及び／または、ＩＭＤ（ｉｎｔｅｒｍｏｄｕｌａｔｉｏｎ  ｄｉｓｔｏｒｔｉｏｎ）が悪くなるなどの、いくつかの否定的な影響を及ぼす可能性がある。オプション１が使用されるとき、データＲＥの一部がＡ／Ｎ変調シンボルに書き換えられる（ｏｖｅｒｗｒｉｔｅ）ので、データ処理量（ｄａｔａ  ｔｈｒｏｕｇｈｐｕｔ）が減少することができる。オプション１及びオプション２の長所及び短所を考慮すれば、一部の方法は、このような２個のオプションの間でスイッチ（ｓｗｉｔｃｈ）するようにユーザ装置に指示するために提供される。
【０２１８】
いかなる非周期的ＣＱＩレポートもユーザ装置のためのサブフレームに対して要請されないとき、ユーザ装置は、サブフレームで伝送するためのＡ／Ｎ及び／または周期的ＣＱＩ／ＰＭＩ／ＲＩを有することができる。サブフレームに対するＰＵＳＣＨグラントが存在しないとき、ユーザ装置は、ＰＣＣのＰＵＣＣＨでＡ／Ｎ及び／または周期的ＣＱＩ／ＰＭＩ／ＲＩを伝送する。しかし、サブフレームに対する少なくとも１つのＰＵＳＣＨが存在する。Ａ／Ｎ及び／または周期的ＣＱＩ／ＰＭＩ／ＲＩを伝送する２個のオプションが考慮され得る。（オプション１）Ａ／Ｎ及び／または周期的ＣＱＩ／ＰＭＩ／ＲＩは、ＰＵＳＣＨでピギーバックされる。または、（オプション２）Ａ／Ｎ及び／または周期的ＣＱＩ／ＰＭＩ／ＲＩは、ＰＣＣのＰＵＣＣＨで伝送される。オプション２が使用されるとき、ＰＡＰＲ（ｐｅａｋ−ｔｏ−ａｖｅｒａｇｅ  ｐｏｗｅｒ  ｒａｔｉｏ）が増加するか、及び／または、ＩＭＤ（ｉｎｔｅｒｍｏｄｕｌａｔｉｏｎ  ｄｉｓｔｏｒｔｉｏｎ）が悪くなるもののように、いくつかの否定的な影響を及ぼすことができる。オプション１が使用されるとき、データＲＥの一部がＡ／Ｎ変調シンボルに書き換えられるので、データ処理量（ｄａｔａ  ｔｈｒｏｕｇｈｐｕｔ）が減少することができる。オプション１及びオプション２の長所及び短所を考慮すれば、一部の方法は、このような２個のオプションの間でスイッチするようにユーザ装置に指示するために提供される。
【０２１９】
この文献において、キャリア結合のＰＵＳＣＨでＵＣＩ多重化のために、次の３つの方法が考慮される。
【０２２０】
（方法１で示される）１つの方法において、ＰＵＳＣＨ＋ＰＵＣＣＨは、構成されない。このような実施形態において、ＵＣＩは、ただ１つのＰＵＳＣＨ上でピギーバックされる。
【０２２１】
（方法２で示される）他の方法において、ＰＵＳＣＨ＋ＰＵＣＣＨが構成される。そして、ＰＵＳＣＨ＋ＰＵＣＣＨ構成に従う。このような実施形態において、ＵＣＩは、ＰＵＣＣＨで個別に伝送される。そして、ＵＬ−ＳＣＨデータのみは、ＰＵＳＣＨで伝送される。
【０２２２】
（方法３で示される）他の方法において、ＰＵＳＣＨ＋ＰＵＣＣＨが構成され、そしてＰＵＳＣＨ＋ＰＵＣＣＨ構成は、オーバライド（ｏｖｅｒｒｉｄｅ）される。このような実施形態において、もし、アップリンクＰＣＣ（ｐｒｉｍａｒｙ  ｃｏｍｐｏｎｅｎｔ  ｃａｒｒｉｅｒ）がＰＵＳＣＨグラントを有する場合、ＵＣＩは、ＰＣＣのＰＵＣＣＨで個別に伝送される。そして、ＵＬ−ＳＣＨデータのみは、ＰＣＣのＰＵＳＣＨで伝送される。もし、アップリンクＰＣＣがＰＵＳＣＨグラントを有さず、少なくとも１つのアップリンクＳＣＣがＰＵＳＣＨグラントを有する場合、ＵＣＩは、少なくとも１つのアップリンクＳＣＣのうち１つでスケジューリングされたただ１つのＰＵＳＣＨ上でピギーバックされる。
【０２２３】
本発明の実施形態において、ＲＲＣシグナリングは、上述した３つの方法から少なくとも２個の方法のうち１つの方法を指示する。特定の実施形態において、このような指示のために使用されるＲＲＣ  ＩＥは、ＵＣＩＰｉｇｇｙｂａｃｋＣｏｎｆｉｇｕｒａｔｉｏｎ  ＩＥで示される。ＵＣＩＰｉｇｇｙｂａｃｋＣｏｎｆｉｇｕｒａｔｉｏｎ  ＩＥは、ＵＣＩ及びデータが同一のサブフレームで同時にスケジューリングされるとき、ユーザ装置がＵＣＩを伝送する方法を決定する。
【０２２４】
一実施形態において、ＵＣＩＰｉｇｇｙｂａｃｋＣｏｎｆｉｇｕｒａｔｉｏｎ  ＩＥは、次の表１に示されたような２個の方法のうち１つの方法を示す。
【０２２５】
【表１】
0005934399.tif 000048
【０２２６】
他の実施形態において、ＵＣＩＰｉｇｇｙｂａｃｋＣｏｎｆｉｇｕｒａｔｉｏｎ  ＩＥは、次の表２に示されたような３個の方法のうち１つの方法を指示する。
【０２２７】
【表２】
0005934399.tif 000049
【０２２８】
一実施形態において、ＵＣＩＰｉｇｇｙｂａｃｋＣｏｎｆｉｇｕｒａｔｉｏｎ  ＩＥは、次の表３に示されたような２個の方法のうち１つの方法を指示する。
【０２２９】
【表３】
0005934399.tif 000050
【０２３０】
一実施形態は、方法１が１つのＰＵＳＣＨ上でＲＲＣシグナリング、すなわち、ＵＣＩピギーバックによって指示されること、またはＲＲＣがユーザ装置にＵＣＩＰｉｇｇｙｂａｃｋＣｏｎｆｉｇｕｒａｔｉｏｎ  ＩＥを伝達しないことを考慮する。このような実施形態において、ユーザ装置がＣＱＩ  ｒｅｑｕｅｓｔ＝１でＰＵＳＣＨをスケジューリングする１つのアップリンクグラント及びサブフレームのアップリンクＣＣで非周期的なＣＱＩレポートを受信すれば、ユーザ装置は、サブフレームのアップリンクＣＣで非周期的なＣＱＩレポートを伝達するＰＵＳＣＨ上でＵＣＩをピギーバックすることができる。もし、ユーザ装置がＣＱＩ  ｒｅｑｕｅｓｔ＝１を有するどんなアップリンクグラントも受信しなかったが、ユーザ装置がアップリンクＰＣＣでＰＵＳＣＨをスケジューリングするアップリンクグラントを受信すれば、ユーザ装置は、アップリンクＰＣＣのＰＵＳＣＨでＵＣＩをピギーバックする。もし、ユーザ装置がＣＱＩ  ｒｅｑｕｅｓｔ＝１を有するどんなアップリンクグラントも受信せず、アップリンクＰＣＣでＰＵＳＣＨをスケジューリングするアップリンクグラントも受信しない場合、ユーザ装置は、規則に従って、サブフレームでＰＵＳＣＨを伝達するためにアップリンクＳＣＣのうち１つのＰＵＳＣＨでＵＣＩをピギーバックする。
【０２３１】
図７は、本発明の一実施形態によるユーザ装置または加入者端末を動作させる方法７００を示す。
【０２３２】
図７に示されるように、ユーザ装置は、サブフレームｎに対してアップリンクＣＣ  ｉでＰＵＳＣＨをスケジューリングする１つ以上のアップリンクグラントを受信する（ブロック７０１）。ユーザ装置は、サブフレームｎのためのアップリンクグラントのうち１つが１、０１、１０、または１１のような特定値を有するＣＱＩ−要請を有するか否かを判断する（ブロック７０３）。もし、ユーザ装置が１つ以上のアップリンクグラントが特定値を有するＣＱＩ−要請を有すると判断すれば、ユーザ装置は、アップリンクＣＣ  ＩのＰＵＳＣＨで伝送される非周期的なチャネル状態情報（ＣＳＩ；ｃｈａｎｎｅｌ  ｓｔａｔｅ  ｉｎｆｏｒｍａｔｉｏｎ）を有するＡ／Ｎをピギーバックする（ブロック７０５）。ＣＳＩレポートは、例えば、ＣＱＩ／ＰＭＩ／ＲＩ情報を含む。アップリンクＣＣ  ｉがＵＣＩ伝送のためのみに使用される。もし、周期的なＣＳＩレポートが非周期的な同一のサブフレーム内でスケジューリングされれば、ＣＳＩは、どんな他の所にも伝送されない。
【０２３３】
もし、ユーザ装置がどんなアップリンクグラントも、特定値を有するＣＱＩ−要請を有しないと判断すれば、ユーザ装置は、アップリンクＰＣＣでＰＵＳＣＨをスケジューリングするアップリンクグラントが受信されたかを判断する（ブロック７０７）。もし、アップリンクＰＣＣでＰＵＳＣＨをスケジューリングするアップリンクグラントが受信されたら、ユーザ装置は、ＰＣＣのＰＵＳＣＨ上でＡ／Ｎ及び／または周期的なＣＳＩをピギーバックする（ブロック７０９）。ただアップリンクＰＣＣがＣＳＩ伝送のために使用される。ＣＳＩは、どんな他の所にも伝送されない。
【０２３４】
もし、アップリンクＰＣＣでＰＵＳＣＨをスケジューリングするアップリンクグラントが受信されなければ、ユーザ装置は、スケジューリングされたＰＵＳＣＨを有するアップリンクＳＣＣのうち１つのＰＵＳＣＨ上のＡ／Ｎ及び／または周期的なＣＳＩをピギーバックする。ここで、ＳＣＣは、例えば、最上位ＭＣＳ、最も小さいアップリンクＣＣ番号、最も小さいキャリア周波数アップリンクＣＣ、などのような規則に従って選択される（ブロック７１１）。ＣＳＩは、どんな他の所にも伝送されない。
【０２３５】
図８は、本発明の他の実施形態によるユーザ装置または加入者端末を動作させる方法８００を示す。
【０２３６】
図８に示されるように、ユーザ装置は、サブフレームｎに対してアップリンクＣＣ  ｉでＰＵＳＣＨをスケジューリングする１つ以上のアップリンクグラントを受信する（ブロック８０１）。ユーザ装置は、サブフレームｎのためのアップリンクグラントのうち１つが１、０１、１０、または１１のような特定値を有するＣＱＩ−要請を有するか否かを判断する（ブロック８０３）。もし、ユーザ装置がアップリンクグラントのうちただ１つが特定値を有するＣＱＩ−要請を有すると判断すれば、ユーザ装置は、アップリンクＣＣ  ｉのＰＵＳＣＨで伝送される非周期的なＣＳＩレポートを有するＡ／Ｎをピギーバックする（ブロック８０５）。ただアップリンクＣＣ  ｉがＣＳＩ伝送のために使用される。もし、周期的なＣＳＩレポートが非周期的なＣＳＩレポートと同一のサブフレームでスケジューリングされれば、ユーザ装置は、周期的なＣＳＩレポートを中断する。ＣＳＩは、どんな他の所にもどんな他の所にも伝送されない。
【０２３７】
もし、ユーザ装置がどんなアップリンクグラントも、特定値を有するＣＱＩ−要請を有しないと判断すれば、ユーザ装置は、アップリンクＰＣＣでＰＵＳＣＨをスケジューリングするアップリンクグラントが受信されるかを判断する（ブロック８０７）。もし、アップリンクＰＣＣでＰＵＳＣＨをスケジューリングするアップリンクグラントが受信されれば、ユーザ装置は、ＰＣＣのＰＵＳＣＨ上でＡ／Ｎ及び／または周期的なＣＳＩレポートをピギーバックする（ブロック８０９）。ただアップリンクＰＣＣがＣＳＩ伝送のために使用される。ＣＳＩは、どんな他の所にも伝送されない。
【０２３８】
もし、アップリンクＰＣＣでＰＵＳＣＨをスケジューリングするアップリンクグラントが受信されなければ、ユーザ装置は、アップリンクＰＣＣのＰＵＣＣＨでＡ／Ｎ及び／または周期的なＣＳＩレポートを伝送する（ブロック８１１）。ＣＳＩは、どんな他の所にも伝送されない。
【０２３９】
一実施形態は、方法２がＲＲＣシグナリングによって指示されることを考慮する。すなわち、ＵＣＩまたはＣＳＩがＰＵＣＣＨで個別に伝送され、ただＵＬ−ＳＣＨデータがＰＵＳＣＨで伝送されることを考慮する。もし、ユーザ装置がＰＵＳＣＨをスケジューリングするＣＱＩ  ｒｅｑｕｅｓｔ＝１を有する１つのアップリンクグラント及びサブフレームのアップリンクＣＣで非周期的なＣＳＩレポートを受信すれば、２個のユーザ装置動作が考慮され得る。１つのオプションにおいて、ユーザ装置は、アップリンクＰＣＣのＰＵＣＣＨでＣＳＩを伝送する。他のオプションにおいて、ユーザ装置は、サブフレームのアップリンクＣＣで非周期的なＣＳＩレポートを伝達するためにＰＵＳＣＨ上でＣＳＩをピギーバックする。もし、ユーザ装置は、ＣＱＩ  ｒｅｑｕｅｓｔ＝１を有するどんなアップリンクグラントも受信しないが、アップリンクＰＣＣのＰＵＳＣＨをスケジューリングするアップリンクグラントを受信すれば、ユーザ装置は、アップリンクＰＣＣのＰＵＣＣＨでＵＣＩまたはＣＳＩを伝送する。もし、ユーザ装置がＣＱＩ  ｒｅｑｕｅｓｔ＝１を有するアップリンクグラントも受信せず、アップリンクＰＣＣでＰＵＳＣＨをスケジューリングするアップリンクグラントも受信しなければ、ユーザ装置は、規則に従ってサブフレームでＰＵＳＣＨを伝達するためにアップリンクＳＣＣのうち１つのＰＵＳＣＨでＵＣＩまたはＣＳＩをピギーバックする。
【０２４０】
図９は、本発明の他の実施形態によるユーザ装置または加入者端末を動作させる方法９００を示す。
【０２４１】
図９に示されるように、ユーザ装置は、サブフレームｎに対してアップリンクＣＣ  ｉでＰＵＳＣＨをスケジューリングする１つ以上のアップリンクグラントを受信する（ブロック９０１）。ユーザ装置は、サブフレームｎのためのアップリンクグラントのうち１つが１、０１、１０、または１１のような特定値を有するＣＱＩ−要請を有するか否かを判断する（ブロック９０３）。もし、ユーザ装置がアップリンクグラントのうちただ１つが特定値を有するＣＱＩ−要請を有すると判断すれば、ユーザ装置は、特定値を有するＣＱＩ−要請を有するアップリンクグラントによってスケジューリングされるＰＵＳＣＨ上で非周期的なＣＳＩレポートをピギーバックし、ＰＣＣのＰＵＣＣＨでＡ／Ｎを伝送する（ブロック９０５）。もし、周期的なＣＳＩレポートが非周期的なＣＳＩレポートと同一のサブフレームでスケジューリングされれば、ユーザ装置は、周期的なＣＳＩレポートを中断する。ＣＳＩは、どんな他の所にも伝送されない。
【０２４２】
もし、ユーザ装置がどんなアップリンクグラントも特定値を有するＣＱＩ−要請を有しないと判断すれば、ユーザ装置は、アップリンクＰＣＣでＰＵＳＣＨをスケジューリングするアップリンクグラントが受信されるかを判断する（ブロック９０７）。もし、アップリンクＰＣＣでＰＵＳＣＨをスケジューリングするアップリンクグラントが受信されれば、ユーザ装置は、アップリンクＰＣＣのＰＵＣＣＨ上でＡ／Ｎ及び／または周期的なＣＳＩレポートをピギーバックする（ブロック９０９）。ＣＳＩは、どんな他の所にも伝送されない。
【０２４３】
もし、アップリンクＰＣＣでＰＵＳＣＨをスケジューリングするアップリンクグラントが受信されなければ、ユーザ装置は、スケジューリングされたＰＵＳＣＨを有するアップリンクＳＣＣのうち１つのＰＵＳＣＨ上のＡ／Ｎ及び／または周期的なＣＳＩレポートをピギーバックする。ここで、ＳＣＣは、例えば、最上位ＭＣＳ、最も小さいアップリンクＣＣ番号、最も小さいキャリア周波数アップリンクＣＣ、などのような規則に従って選択される（ブロック９１１）。ＣＳＩは、どんな他の所にも伝送されない。
【０２４４】
図１０は、本発明の追加的な実施形態によるユーザ装置または加入者端末を動作させる方法１０００を示す。
【０２４５】
図１０に示されるように、ユーザ装置は、サブフレームｎに対してアップリンクＣＣ  ｉでＰＵＳＣＨをスケジューリングする１つ以上のアップリンクグラントを受信する（ブロック１００１）。ユーザ装置は、サブフレームｎのためのアップリンクグラントのうち１つが１、０１、１０、または１１のような特定値を有するＣＱＩ−要請を有するか否かを判断する（ブロック１００３）。もし、ユーザ装置がアップリンクグラントのうちただ１つが特定値を有するＣＱＩ−要請を有すると判断すれば、ユーザ装置は、特定値を有するＣＱＩ−要請を有するアップリンクグラントによってスケジューリングされるＰＵＳＣＨ上で非周期的なＣＳＩレポート及びＡ／Ｎをピギーバックする（ブロック１００５）。もし、周期的なＣＳＩレポートが非周期的なＣＳＩレポートと同一のサブフレームでスケジューリングされれば、ユーザ装置は、周期的なＣＳＩレポートを中断する。ＣＳＩは、どんな他の所にも伝送されない。
【０２４６】
もし、ユーザ装置がどんなアップリンクグラントも特定値を有するＣＱＩ−要請を有しないと判断すれば、ユーザ装置は、アップリンクＰＣＣでＰＵＳＣＨをスケジューリングするアップリンクグラントが受信されるかを判断する（ブロック１００７）。もし、アップリンクＰＣＣでＰＵＳＣＨをスケジューリングするアップリンクグラントが受信されれば、ユーザ装置は、アップリンクＰＣＣのＰＵＣＣＨ上でＡ／Ｎ及び／または周期的なＣＳＩレポートをピギーバックする（ブロック１００９）。ＣＳＩは、どんな他の所にも伝送されない。
【０２４７】
もし、アップリンクＰＣＣでＰＵＳＣＨをスケジューリングするアップリンクグラントが受信されなければ、ユーザ装置は、スケジューリングされたＰＵＳＣＨを有するアップリンクＳＣＣのうち１つのＰＵＳＣＨ上のＡ／Ｎ及び／または周期的なＣＳＩレポートをピギーバックする。ここで、ＳＣＣは、例えば、最上位ＭＣＳ、最も小さいアップリンクＣＣ番号、最も小さいキャリア周波数アップリンクＣＣ、などのような規則に従って選択される（ブロック１０１１）。ＣＳＩは、どんな他の所にも伝送されない。
【０２４８】
一実施形態は、方法３がＲＲＣシグナリングによって指示されることを考慮する。ＰＣＣがアップリンクグラントを有する場合、ＣＳＩまたはＵＣＩは、ＰＵＣＣＨで個別に伝送される。そしてＵＬ−ＳＣＨデータのみは、ＰＣＣのＰＵＳＣＨで伝送される。そうでなければ、ＣＳＩまたはＵＣＩは、ＳＣＣで伝送されるＰＵＳＣＨのうち１つの上でピギーバックされる。ユーザ装置がサブフレームのアップリンクＰＣＣで非周期的なＣＳＩレポート及びＣＱＩ  ｒｅｑｕｅｓｔ＝１を持ってＰＵＳＣＨをスケジューリングするアップリンクグラントを受信すれば、ユーザ装置は、アップリンクＰＣＣのＰＵＣＣＨでＡ／Ｎを伝送する。ユーザ装置がサブフレームのアップリンクＳＣＣで非周期的なＣＳＩレポート及びＣＱＩ  ｒｅｑｕｅｓｔ＝１を持ってＰＵＳＣＨをスケジューリングするアップリンクグラントを受信すれば、ユーザ装置は、アップリンクＳＣＣのＰＵＳＣＨでＡ／Ｎを伝送する。ユーザ装置がＣＱＩ  ｒｅｑｕｅｓｔ＝１を有するどんなアップリンクグラントも受信しないが、アップリンクＰＣＣでＰＵＳＣＨをスケジューリングするアップリンクグラントを受信すれば、ユーザ装置は、アップリンクＰＣＣのＰＵＣＣＨでＣＳＩまたはＵＣＩを伝送する。ユーザ装置がＣＱＩ  ｒｅｑｕｅｓｔ＝１を有するどんなアップリンクグラントも受信せず、アップリンクＰＣＣでＰＵＳＣＨをスケジューリングするアップリンクグラントも受信しなければ、ユーザ装置は、規則に従ってサブフレームでＰＵＳＣＨを伝達するためにアップリンクＳＣＣのうち１つのＰＵＳＣＨでＣＳＩをピギーバックする。
【０２４９】
図１１は、本発明の他の追加的な実施形態によるユーザ装置または加入者端末を動作させる方法１１００を示す。
【０２５０】
図１１に示されるように、ユーザ装置は、サブフレームｎに対してアップリンクＣＣ  ｉでＰＵＳＣＨをスケジューリングする１つ以上のアップリンクグラントを受信する（ブロック１１０１）。ユーザ装置は、サブフレームｎのためのアップリンクグラントのうち１つが１、０１、１０、または１１のような特定値を有するＣＱＩ−要請を有するか否かを判断する（ブロック１１０３）。もし、ユーザ装置がアップリンクグラントのうちただ１つが特定値を有するＣＱＩ−要請を有すると判断すれば、ユーザ装置は、特定値を有するＣＱＩ−要請を有するアップリンクグラントがアップリンクＰＣＣでＰＵＳＣＨをスケジューリングするためのものであるかを判断する（ブロック１１０５）。  
【０２５１】
もし、特定値を有するＣＱＩ−要請を有するアップリンクグラントがアップリンクＰＣＣでＰＵＳＣＨをスケジューリングするためのものなら（ブロック１１０５）、ユーザ装置は、特定値を有するＣＱＩ−要請を有するアップリンクグラントによってスケジューリングされるＰＵＳＣＨ上に非周期的なＣＳＩレポートをピギーバックし、ＰＣＣのＰＵＣＣＨでＡ／Ｎを伝送する（ブロック１１０７）。もし、周期的なＣＳＩレポートが非周期的なＣＳＩレポートと同一のサブフレームでスケジューリングされれば、ユーザ装置は、周期的なＣＳＩレポートを中断する。ＣＳＩは、どんな他の所にも伝送されない。
【０２５２】
特定値を有するＣＱＩ−要請を有するどんなアップリンクグラントもアップリンクＰＣＣでＰＵＳＣＨをスケジューリングするためのものでなければ（ブロック１１０５）、ユーザ装置は、特定値を有するＣＱＩ−要請を有するアップリンクグラントによってスケジューリングされるＰＵＳＣＨ上でＡ／Ｎ及び非周期的なＣＳＩレポートをピギーバックする（ブロック１１０９）。もし、周期的なＣＳＩレポートが非周期的なＣＳＩレポートと同一のサブフレームでスケジューリングされれば、ユーザ装置は、周期的なＣＳＩレポートを中断する。ＣＳＩは、どんな他の所にも伝送されない。
【０２５３】
サブフレームｎのためのどんなアップリンクグラントも特定値を有するＣＱＩ−要請を有しなければ、ユーザ装置は、アップリンクＰＣＣでＰＵＳＣＨをスケジューリングするアップリンクグラントが受信されるかを判断する（ブロック１１１１）。もし、アップリンクＰＣＣでＰＵＳＣＨをスケジューリングするアップリンクグラントが受信されれば、ユーザ装置は、アップリンクＰＣＣでＰＵＣＣＨ上でＡ／Ｎ及び／または周期的なＣＳＩレポートを伝送する（ブロック１１１３）。ＣＳＩは、どんな他の所にも伝送されない。
【０２５４】
もし、アップリンクＰＣＣでＰＵＳＣＨをスケジューリングするアップリンクグラントが受信されなければ、ユーザ装置は、スケジューリングされたＰＵＳＣＨを有するアップリンクＳＣＣのうち１つのＰＵＳＣＨ上のＡ／Ｎ及び／または周期的なＣＳＩレポートをピギーバックする。ここで、ＳＣＣは、例えば、最上位ＭＣＳ、最も小さいアップリンクＣＣ番号、最も小さいキャリア周波数アップリンクＣＣ、などのような規則に従って選択される（ブロック１１１５）。ＣＳＩは、どんな他の所にも伝送されない。
【０２５５】
本発明のこの実施形態において、ユーザ装置は、ＵＣＩＰｉｇｇｙｂａｃｋＣｏｎｆｉｇｕｒａｔｉｏｎ  ＩＥがＲＲＣでシグナリングされた（ＲＲＣ−ｓｉｇｎａｌｌｅｄ）ものであるか否かに関係なく、ＣＱＩ  ｒｅｑｕｅｓｔ＝１を有するアップリンクグラントが存在する度に、非周期的なＣＳＩレポートが伝送されるＰＵＳＣＨ上でＡ／Ｎをピギーバックする。
【０２５６】
図１２は、本発明の実施形態による基地局（ｂａｓｅ  ｓｔａｔｉｏｎ）または基地局（ｅＮｏｄｅＢ）を動作させる方法１２００を示す。
【０２５７】
図１２に示されるように、基地局は、加入者端末が物理アップリンク共有チャネル（ＰＵＳＣＨ；ｐｈｙｓｉｃａｌ  ｕｐｌｉｎｋ  ｓｈａｒｅｄ  ｃｈａｎｎｅｌ）及び物理アップリンク制御チャネル（ＰＵＣＣＨ；ｐｈｙｓｉｃａｌ  ｕｐｌｉｎｋ  ｃｏｎｔｒｏｌ  ｃｈａｎｎｅｌ）を同時に伝送するように許容する第１アップリンク制御情報（ＵＣＩ；ｕｐｌｉｎｋ  ｃｏｎｔｒｏｌ  ｉｎｆｏｒｍａｔｉｏｎ）多重化方法及び加入者端末がＰＵＳＣＨ及びＰＵＣＣＨを同時に伝送するように許容しない第２ＵＣＩ多重化方法のうち１つを選択し、加入者端末に１つの選択されたＵＣＩ多重化方法を指示する上位階層信号を伝送し、そして、加入者端末に１つ以上のアップリンクグラント（ｕｐｌｉｎｋ  ｇｒａｎｔ）を伝送する（ブロック１２０１）。１つ以上のアップリンクグラント各々は、前記加入者端末に対するサブフレームｎに対してアップリンクコンポネントキャリア（ＵＬ  ＣＣ；ｕｐｌｉｎｋ  ｃｏｍｐｏｎｅｎｔ  ｃａｒｒｉｅｒ）でＰＵＳＣＨをスケジューリングし、１つ以上のアップリンクグラント各々は、チャネル品質情報（ＣＱＩ；ｃｈａｎｎｅｌ  ｑｕａｌｉｔｙ  ｉｎｆｏｒｍａｔｉｏｎ）要請を伝達する。
【０２５８】
サブフレームｎのための１つ以上のアップリンクグラントのうちただ１つのアップリンクグラントが１、０１、１０、または１１のような、特定値を有するＣＱＩ−要請を有する場合、基地局は、加入者端末によってアップリンクＣＣ  ｉのＰＵＳＣＨで伝送される非周期的なＣＳＩレポートにピギーバックされるＡ／Ｎを受信する（ブロック１２０５）。
【０２５９】
もし、アップリンクグラントが特定値を有するＣＱＩ−要請を有さず、そして、アップリンクＰＣＣでＰＵＳＣＨをスケジューリングするアップリンクグラントが加入者端末に基地局によって伝送されれば（ブロック１２０７）、基地局は、加入者端末からＰＣＣのＰＵＳＣＨ上でピギーバックされるＡ／Ｎ及び／または周期的なＣＳＩレポートを受信する（ブロック１２０９）。
【０２６０】
もし、アップリンクグラントが特定値を有するＣＱＩ−要請を有さず、そして、アップリンクＰＣＣでＰＵＳＣＨをスケジューリングするアップリンクグラントが加入者端末に基地局によって伝送されなければ（ブロック１２０７）、基地局は、加入者端末からスケジューリングされたＰＵＳＣＨを有するアップリンクＳＣＣのうち１つのＰＵＳＣＨ上でピギーバックされるＡ／Ｎ及び／または周期的なＣＳＩレポートを受信する。ここで、ＳＣＣは、例えば、最上位ＭＣＳ、最も小さいアップリンクＣＣ番号、最も小さいキャリア周波数アップリンクＣＣ、などのような規則に従って選択される（ブロック１２１１）。
【０２６１】
図１３は、本発明の他の実施形態による基地局（ｂａｓｅ  ｓｔａｔｉｏｎ）または基地局（ｅＮｏｄｅＢ）を動作させる方法１３００を示す。
【０２６２】
図１３に示されるように、基地局は、加入者端末が物理アップリンク共有チャネル（ＰＵＳＣＨ；ｐｈｙｓｉｃａｌ  ｕｐｌｉｎｋ  ｓｈａｒｅｄ  ｃｈａｎｎｅｌ）及び物理アップリンク制御チャネル（ＰＵＣＣＨ；ｐｈｙｓｉｃａｌ  ｕｐｌｉｎｋ  ｃｏｎｔｒｏｌ  ｃｈａｎｎｅｌ）を同時に伝送するように許容する第１アップリンク制御情報（ＵＣＩ；ｕｐｌｉｎｋ  ｃｏｎｔｒｏｌ  ｉｎｆｏｒｍａｔｉｏｎ）多重化方法及び加入者端末がＰＵＳＣＨ及びＰＵＣＣＨを同時に伝送するように許容しない第２ＵＣＩ多重化方法のうち１つを選択し、加入者端末に１つの選択されたＵＣＩ多重化方法を指示する上位階層信号を伝送し、そして、加入者端末に１つ以上のアップリンクグラント（ｕｐｌｉｎｋ  ｇｒａｎｔ）を伝送する（ブロック１３０１）。１つ以上のアップリンクグラント各々は、前記加入者端末に対するサブフレームｎに対してアップリンクコンポネントキャリア（ＵＬ  ＣＣ；ｕｐｌｉｎｋ  ｃｏｍｐｏｎｅｎｔ  ｃａｒｒｉｅｒ）でＰＵＳＣＨをスケジューリングし、１つ以上のアップリンクグラント各々は、チャネル品質情報（ＣＱＩ、ｃｈａｎｎｅｌ  ｑｕａｌｉｔｙ  ｉｎｆｏｒｍａｔｉｏｎ）要請を伝達する。
【０２６３】
サブフレームｎのための１つ以上のアップリンクグラントのうちただ１つのアップリンクグラントが１、０１、１０、または１１のような、特定値を有するＣＱＩ−要請を有する場合、基地局は、加入者端末からアップリンクグラントによってスケジューリングされたＰＵＳＣＨ上でピギーバックされたＡ／Ｎ及び非周期的なＣＳＩレポートを受信する（ブロック１３０５）。
【０２６４】
もし、アップリンクグラントが特定値を有するＣＱＩ−要請を有しなければ、そして、アップリンクＰＣＣでＰＵＳＣＨをスケジューリングするアップリンクグラントが基地局によって伝送されれば（ブロック１３０７）、基地局は、加入者端末からアップリンクＰＣＣのＰＵＣＣＨ上でＡ／Ｎ及び／または周期的なＣＳＩレポートを受信する（ブロック１３０９）。
【０２６５】
もし、アップリンクグラントが特定値を有するＣＱＩ−要請を有さず、そして、アップリンクＰＣＣでＰＵＳＣＨをスケジューリングするアップリンクグラントが基地局によって伝送されなければ（ブロック１３０７）、基地局は、加入者端末からスケジューリングされたＰＵＳＣＨを有するアップリンクＳＣＣのうち１つのＰＵＳＣＨ上でピギーバックされるＡ／Ｎ及び／または周期的なＣＳＩレポートを受信する。ここで、ＳＣＣは、例えば、最上位ＭＣＳ、最も小さいアップリンクＣＣ番号、最も小さいキャリア周波数アップリンクＣＣ、などのような規則に従って選択される（ブロック１３１１）。
【０２６６】
以上、実施形態を通じて本発明を説明したが、この技術分野における通常の知識を有する者によって多様な変更及び修正が提案されることができる。添付の請求範囲に範囲に属するものであれば、そのような変更及び修正は、本発明の権利範囲に属する。
【符号の説明】
【０２６７】
１００  無線ネットワーク
１０１、１０２、１０３  基地局
１１１、１１２、１１３、１１４、１１５、１１６  加入者端末
１３０  インターネット
２００  伝送経路
３００  受信経路
２０５  チャネルコーディング及び変調ブロック
２１０  直列対並列（ｓｅｒｉａｌ−ｔｏ−ｐａｒａｌｌｅｌ、Ｓ−ｔｏ−Ｐ）ブロック
２１５  逆高速フーリエ変換（ＩＦＦＴ）ブロック
２２０  並列対直列（ｐａｒａｌｌｅｌ−ｔｏ−ｓｅｒｉａｌ、Ｐ−ｔｏ−Ｓ）ブロック
２２５  循環前置（ＣＰ、ｃｙｃｌｉｃ  ｐｒｅｆｉｘ）挿入ブロック
２３０  アップコンバータ（ＵＣ、ｕｐ−ｃｏｎｖｅｒｔｅｒ）
２９０  レファレンス信号多重化器
２９５  レファレンス信号割り当て器
２５５  ダウンコンバータ（ＤＣ、ｄｏｗｎ−ｃｏｎｖｅｒｔｅｒ）
２６０  循環前置（ＣＰ、ｃｙｃｌｉｃ  ｐｒｅｆｉｘ）除去ブロック
２６５  直列対並列（ｓｅｒｉａｌ−ｔｏ−ｐａｒａｌｌｅｌ、Ｓ−ｔｏ−Ｐ）ブロック
２７０  高速フーリエ変換（ＦＦＴ、Ｆａｓｔ  Ｆｏｕｒｉｅｒ  Ｔｒａｎｓｆｏｒｍ）ブロック
２７５  並列対直列（ｐａｒａｌｌｅｌ−ｔｏ−ｓｅｒｉａｌ、Ｐ−ｔｏ−Ｓ）ブロック
２８０  チャネルデコーディング及び復調ブロック
【図１】
0005934399.tif 000051
【図２】
0005934399.tif 000052
【図３】
0005934399.tif 000053
【図４】
0005934399.tif 000054
【図５Ａ】
0005934399.tif 000055
【図５Ｂ】
0005934399.tif 000056
【図６Ａ】
0005934399.tif 000057
【図６Ｂ】
0005934399.tif 000058
【図６Ｃ】
0005934399.tif 000059
【図７】
0005934399.tif 000060
【図８】
0005934399.tif 000061
【図９】
0005934399.tif 000062
【図１０】
0005934399.tif 000063
【図１１】
0005934399.tif 000064
【図１２】
0005934399.tif 000065
【図１３】
0005934399.tif 000066